(57)【特許請求の範囲】
【請求項１】
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
以下の条件式（６−１）を満足することを特徴とするリアフォーカスレンズ系。
０．７５＜ｆｂair／ｆent≦１．０４      （６−１）
ただし、
ｆｂairは前記リアフォーカスレンズ系のバックフォーカス、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
【請求項２】
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
前記前側正レンズ群は、正屈折力のレンズ成分からなり、
前記レンズ成分は、光軸上にて空気と接する屈折面が物体側面と像側面の２つのみのレンズ体であることを特徴とするリアフォーカスレンズ系。
【請求項３】
前記正屈折力のレンズ成分は、１つの正屈折力の単レンズからなることを特徴とする請求項２に記載のリアフォーカスレンズ系。
【請求項４】
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
以下の条件式（６）を満足することを特徴とするリアフォーカスレンズ系。
０．７５＜ｆｂair／ｆent＜１．３      （６）
ただし、
ｆｂairは前記リアフォーカスレンズ系のバックフォーカス、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
【請求項５】
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
前記後側正レンズ群は、物体側から順に、負レンズ、正レンズ、正レンズからなり、
前記レンズ成分は、光軸上にて空気と接する屈折面が物体側面と像側面の２つのみのレンズ体であることを特徴とするリアフォーカスレンズ系。
【請求項６】
前記後側正レンズ群は、物体側から順に、物体側面が物体側に凹面を向けた負レンズ、像側面が像側に凸面を向けた正レンズ、像側面が像側に凸面を向けた正レンズからなることを特徴とする請求項５に記載のリアフォーカスレンズ系。
【請求項７】
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
以下の条件式（５）を満足することを特徴とするリアフォーカスレンズ系。
−６．０＜ｆRfo／ｆent＜−１．０      （５）
ただし、
ｆRfoは前記フォーカシングレンズ群の焦点距離、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
【請求項８】
前記前側正レンズ群は、正屈折力のレンズ成分からなることを特徴とする請求項１に記載のリアフォーカスレンズ系。
【請求項９】
前記正屈折力のレンズ成分は、１つの正屈折力の単レンズからなることを特徴とする請求項８に記載のリアフォーカスレンズ系。
【請求項１０】
以下の条件式（６）を満足することを特徴とする請求項１から３、５から９のいずれか一項に記載のリアフォーカスレンズ系。
０．７５＜ｆｂair／ｆent＜１．３      （６）
ただし、
ｆｂairは前記リアフォーカスレンズ系のバックフォーカス、
ｆentは前記リアフォーカスレンズ系の全系の焦点距離であって、無限遠物体合焦時の焦点距離、
である。
【請求項１１】
前記後側正レンズ群は、物体側から順に、負レンズ、正レンズ、正レンズからなることを特徴とする請求項１から４、７から９のいずれか一項に記載のリアフォーカスレンズ系。
【請求項１２】
前記後側正レンズ群は、物体側から順に、物体側面が物体側に凹面を向けた負レンズ、像側面が像側に凸面を向けた正レンズ、像側面が像側に凸面を向けた正レンズからなることを特徴とする請求項５又は１１に記載のリアフォーカスレンズ系。
【請求項１３】
以下の条件式（５）を満足することを特徴とする請求項１から６、８、９のいずれか一項に記載のリアフォーカスレンズ系。
−６．０＜ｆRfo／ｆent＜−１．０      （５）
ただし、
ｆRfoは前記フォーカシングレンズ群の焦点距離、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
【請求項１４】
前記前側正レンズ群はレンズ成分を有し、該レンズ成分は最も物体側に配置され且つ正レンズを有することを特徴とする請求項１から１３のいずれか一項に記載のリアフォーカスレンズ系。
【請求項１５】
前記後側正レンズ群は正屈折力の非球面レンズを有し、
以下の条件式（７）を満足することを特徴とする請求項１から１４のいずれか一項に記載のリアフォーカスレンズ系。
１．６５＜ｎＬasp＜１．９５      （７）
ただし、
ｎＬaspは、前記非球面レンズのｄ−ｌｉｎｅにおける屈折率、
である。
【請求項１６】
以下の条件式（７−１）を満足することを特徴とする請求項１５に記載のリアフォーカスレンズ系。
１．７４３≦ｎＬasp＜１．９５      （７−１）
ただし、
ｎＬaspは、前記非球面レンズのｄ−ｌｉｎｅにおける屈折率、
である。
【請求項１７】
前記非球面レンズが、前記後側正レンズ群のなかで最も像側に位置するレンズであることを特徴とする請求項１５又は１６に記載のリアフォーカスレンズ系。
【請求項１８】
前記フォーカシングレンズ群が以下の条件式（８）を満足することを特徴とする請求項１から１７のいずれか一項に記載のリアフォーカスレンズ系。
１．６５＜ｎＬRfo＜１．９５      （８）
ただし、
ｎＬRfoは、前記フォーカシングレンズ群中の全レンズのｄ−ｌｉｎｅにおける屈折率の平均値、
である。
【請求項１９】
前記フォーカシングレンズ群が以下の条件式（８−１）を満足することを特徴とする請求項１８に記載のリアフォーカスレンズ系。
１．７７３≦ｎＬRfo＜１．９５      （８−１）
ただし、
ｎＬRfoは、前記フォーカシングレンズ群中の全レンズのｄ−ｌｉｎｅにおける屈折率の平均値、
である。
【請求項２０】
前記フォーカシングレンズ群が単レンズであることを特徴とする請求項１から１９のいずれか一項に記載のリアフォーカスレンズ系。
【請求項２１】
以下の条件式（１）を満足することを特徴とする請求項１から２０のいずれか一項に記載のリアフォーカスレンズ系。
４．０＜Ｆno×Ｌair／ｆent＜８．０      （１）
ただし、
Ｆnoは前記リアフォーカスレンズ系の最小Ｆナンバー、
Ｌairは前記リアフォーカスレンズ系の最も物体側のレンズ面から像面までの光軸上での距離あって、最も像側のレンズ面から像面までの光軸上での距離のみを空気換算したもの、
ｆentは前記リアフォーカスレンズ系の全系の焦点距離であって、無限遠物体合焦時の焦点距離、
上記最小Ｆナンバーと全系の焦点距離は、それぞれ、無限遠物体合焦時のＦナンバーと焦点距離、
である。
【請求項２２】
以下の条件式（１−１）を満足することを特徴とする請求項２１に記載のリアフォーカスレンズ系。
５．４＜Ｆno×Ｌair／ｆent＜８．０      （１−１）
ただし、
Ｆnoは前記リアフォーカスレンズ系の最小Ｆナンバー、
Ｌairは前記リアフォーカスレンズ系の最も物体側のレンズ面から像面までの光軸上での距離あって、最も像側のレンズ面から像面までの光軸上での距離のみを空気換算したもの、
ｆentは前記リアフォーカスレンズ系の全系の焦点距離であって、無限遠物体合焦時の焦点距離、
上記最小Ｆナンバーと全系の焦点距離は、それぞれ、無限遠物体合焦時のＦナンバーと焦点距離、
である。
【請求項２３】
以下の条件式（２）を満足することを特徴とする請求項１から２２のいずれか一項に記載のリアフォーカスレンズ系。
１．０＜｜ｆRfo｜／ｆent＜６．０      （２）
ただし、
ｆRfoは前記フォーカシングレンズ群の焦点距離、
ｆentは前記リアフォーカスレンズ系の全系の焦点距離であって、無限遠物体合焦時の焦点距離、
である。
【請求項２４】
撮像レンズ系と、前記撮像レンズ系の像側に配置され前記撮像レンズ系により形成された像を電気信号に変換する撮像素子とを有し、
前記撮像レンズ系が請求項１から２３のいずれか一項に記載のリアフォーカスレンズ系であることを特徴とする撮像装置。
【発明の詳細な説明】
【技術分野】
【０００１】
本発明は、リアフォーカスレンズ系及びそれを備えた撮像装置に関する。
【背景技術】
【０００２】
近年、デジタルカメラにおいて、動画撮影が一つの潮流をなしている。このようなことから、デジタルカメラにとって、動画撮影機能は重要な機能となっている。そのため、レンズ交換式のデジタルカメラにおいても、動画撮影に最適化された交換レンズが求められている。
【０００３】
ところで、デジタルカメラでは、静止画撮影も行なわれる。静止画撮影では、一瞬の撮影チャンスに、狙った被写体を切り取る（被写体を撮影する）ことが目的である。そこで、構図を決めた後、撮影の瞬間に、狙った被写体へ合焦されていれば良かった。そのため、従来の静止画撮影を行なうカメラでは、いわゆる位相差方式のオートフォーカスが採用されていた。この位相差方式のオートフォーカスは、合焦の早さと精度の高さを兼ね備えたオートフォーカスである。
【０００４】
一方、動画撮影においては、常時、オートフォーカスを働かせて、合焦状態を維持しておく必要がある。そこで、一部のプロ用ビデオカメラを除き、多くの民生用ビデオカメラでは、常時、オートフォーカスを働かせていた。動画撮影におけるオートフォーカスでは、コントラストオートフォーカス（いわゆる山登り方式のオートフォーカス）が採用されている。コントラストオートフォーカスでは、フォーカシングレンズ群を、合焦位置の前後で常に微小量動かすことで、コントラストの変化を測定している。そして、このコントラストの変化から、合焦状態の変化（合焦状態からのずれ）を検出している。なお、微小量動かす動作は、ウォブリングと言われている。
【０００５】
そして、合焦状態が変化したと判断された場合に、フォーカスレンズ群を適切に移動させることによって、再度、合焦状態にすることができる。このようなウォブリング機能によって、被写体との距離が変化しても、常に合焦状態を維持し続けることができる。ただし、カメラ本体側で設定されているフレームレートによっては、ウォブリング、すなわちフォーカスレンズ群の移動には非常に高速な移動が必要とされる。そのため、フォーカスレンズ群には、軽量化や移動量の最小化等が求められている。
【０００６】
また、ウォブリングを行なうと、フォーカスレンズ群の移動に伴って駆動音（動作音）が発生する。駆動音の音量が大きいと、動画撮影では、この駆動音が雑音として他の音声と一緒に記録されてしまう。そのため、駆動音の音量低減も重要な課題となっている。また、ウォブリング中に、像倍率の変化が大きいと、常に画像が揺らいでいるように見えるため、表示された画像が非常に不自然に見えてしまう。従って、動画撮影では、ウォブリング時における像倍率の変化が小さい事も重要である。
【０００７】
上記のような課題の解決や要求を満足するために、特にフォーカシングレンズ群に対しては、軽量化が求められている。
【０００８】
レンズ系には、フォーカシングレンズ群の位置の違いによって、いくつかのタイプがある。このうちの１つに、リアフォーカスタイプのレンズ系がある。リアフォーカスタイプのレンズ系では、レンズ系の最も像側に位置するレンズ群をフォーカシングレンズ群としている。このリアフォーカスタイプのレンズ系として、特許文献１から４のものが知られている。
【先行技術文献】
【特許文献】
【０００９】
【特許文献１】特開２０１１−２０９３７７号公報
【特許文献２】特開２０１１−７６０２２号公報
【特許文献３】特開２０１０−２１０８８３号公報
【特許文献４】特開２０１０−１０１９７９号公報
【発明の概要】
【発明が解決しようとする課題】
【００１０】
特許文献１に記載のレンズ系は明るいレンズ系であるが、前玉のレンズ径が大きいため、レンズ系としては大型である。また、特許文献２や特許文献４に記載のレンズ系は、明るいレンズ系とは言いがたい。特許文献３に記載のレンズ系は、コンパクトカメラへの用途を意図したものと見られることから、焦点距離に比べてレンズ系の全長が長い。
【００１１】
本発明は、このような課題に鑑みてなされたものであって、フォーカシング動作時、更に好ましくはウォブリング動作時の駆動系の電気的負担の低減、駆動に伴って発生する雑音の低減、レンズ系の所定の明るさや光学性能の確保、レンズ系の小型化に有利なリアフォーカスレンズ系の提供を目的とする。さらには、そのようなリアフォーカスレンズ系を備えた撮像装置の提供を目的とする。
【課題を解決するための手段】
【００１２】
上述した課題を解決し、目的を達成するために、本発明のリアフォーカスレンズ系は、  物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
以下の条件式（６−１）を満足することを特徴とするリアフォーカスレンズ系。
０．７５＜ｆｂair／ｆent≦１．０４      （６−１）
ただし、
ｆｂairは前記リアフォーカスレンズ系のバックフォーカス、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
【００１３】
また、本発明の別のリアフォーカスレンズ系は、
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
前記前側正レンズ群は、正屈折力のレンズ成分からなり、
前記レンズ成分は、光軸上にて空気と接する屈折面が物体側面と像側面の２つのみのレンズ体であることを特徴とする。
【００１４】
また、本発明の別のリアフォーカスレンズ系は、
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
以下の条件式（６）を満足することを特徴とする。
０．７５＜ｆｂair／ｆent＜１．３      （６）
ただし、
ｆｂairは前記リアフォーカスレンズ系のバックフォーカス、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
また、本発明の別のリアフォーカスレンズ系は、
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
前記後側正レンズ群は、物体側から順に、負レンズ、正レンズ、正レンズからなり、
前記レンズ成分は、光軸上にて空気と接する屈折面が物体側面と像側面の２つのみのレンズ体であることを特徴とする。
また、本発明の別のリアフォーカスレンズ系は、
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
以下の条件式（５）を満足することを特徴とする。
−６．０＜ｆRfo／ｆent＜−１．０      （５）
ただし、
ｆRfoは前記フォーカシングレンズ群の焦点距離、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
【００１５】
上記の構成によれば、フォーカシング動作時、更に好ましくはウォブリング動作時の駆動系の電気的負担の低減、駆動に伴って発生する雑音の低減、レンズ系の所定の明るさや光学性能の確保、レンズ系の小型化に有利なリアフォーカスレンズ系を提供できる。
【００１６】
また、本発明の撮像装置は、撮像レンズ系と、前記撮像レンズ系の像側に配置され前記撮像レンズ系により形成された像を電気信号に変換する撮像素子とを有し、
前記撮像レンズ系が上記のいずれかのリアフォーカスレンズ系であることを特徴とする。
【００１７】
上記の構成によれば、小型でありながら、フォーカシング動作時、更に好ましくはウォブリング動作時の動作音が静かで、撮影環境が暗くても画質を劣化させずに、高解像の画像が得られる撮像装置を実現できる。
【発明の効果】
【００１８】
本発明によれば、フォーカシング動作時、更に好ましくはウォブリング動作時の駆動系の電気的負担の低減、駆動に伴って発生する雑音の低減、レンズ系の所定の明るさや光学性能の確保、レンズ系の小型化に有利なリアフォーカスレンズ系、及びこのリアフォーカスレンズ系を備えた撮像装置を提供することができる。
【図面の簡単な説明】
【００１９】
【図１】無限遠物体合焦時の、本発明のリアフォーカスレンズ系のレンズ断面図であって、（ａ）は実施例１のレンズ断面図、（ｂ）は実施例２のレンズ断面図である。
【図２】無限遠物体合焦時の、本発明のリアフォーカスレンズ系のレンズ断面図であって、（ａ）は実施例３のレンズ断面図、（ｂ）は実施例４のレンズ断面図である。
【図３】無限遠物体合焦時の、本発明のリアフォーカスレンズ系のレンズ断面図であって、（ａ）は実施例５のレンズ断面図、（ｂ）は実施例６のレンズ断面図である。
【図４】無限遠物体合焦時の、本発明のリアフォーカスレンズ系のレンズ断面図であって、（ａ）は実施例７のレンズ断面図、（ｂ）は実施例８のレンズ断面図である。
【図５】無限遠物体合焦時の、本発明のリアフォーカスレンズ系のレンズ断面図であって、実施例９のレンズ断面図である。
【図６】（ａ）〜（ｈ）は、実施例１のリアフォーカスレンズ系の収差図であって、２つの異なる合焦状態の収差図である。
【図７】（ａ）〜（ｈ）は、実施例２のリアフォーカスレンズ系の収差図であって、２つの異なる合焦状態の収差図である。
【図８】（ａ）〜（ｈ）は、実施例３のリアフォーカスレンズ系の収差図であって、２つの異なる合焦状態の収差図である。
【図９】（ａ）〜（ｈ）は、実施例４のリアフォーカスレンズ系の収差図であって、２つの異なる合焦状態の収差図である。
【図１０】（ａ）〜（ｈ）は、実施例５のリアフォーカスレンズ系の収差図であって、２つの異なる合焦状態の収差図である。
【図１１】（ａ）〜（ｈ）は、実施例６のリアフォーカスレンズ系の収差図であって、２つの異なる合焦状態の収差図である。
【図１２】（ａ）〜（ｈ）は、実施例７のリアフォーカスレンズ系の収差図であって、２つの異なる合焦状態の収差図である。
【図１３】（ａ）〜（ｈ）は、実施例８のリアフォーカスレンズ系の収差図であって、２つの異なる合焦状態の収差図である。
【図１４】（ａ）〜（ｈ）は、実施例９のリアフォーカスレンズ系の収差図であって、２つの異なる合焦状態の収差図である。
【図１５】本発明によるリアフォーカスレンズ系を交換レンズとして用いたレンズ交換式カメラの断面図である。
【図１６】本発明によるデジタルカメラの外観を示す前方斜視図である。
【図１７】図１６のデジタルカメラの後方斜視図である。
【図１８】図１６のデジタルカメラの主要部の内部回路の構成ブロック図である。
【発明を実施するための形態】
【００２０】
以下に、本発明にかかるリアフォーカスレンズ系及び撮像装置の実施形態及び実施例を、図面に基づいて詳細に説明する。なお、この実施形態及び実施例によりこの発明が限定されるものではない。
【００２１】
本実施形態のリアフォーカスレンズ系は、物体側から像側に順に、正屈折力の前側レンズ群と、明るさ絞りと、正屈折力の後側レンズ群と、からなり、前側レンズ群は、物体側から順に、負屈折力のレンズ成分からなる前側負レンズ群と、前側正レンズ群とからなり、後側レンズ群は、物体側から順に、後側正レンズ群と、フォーカシングレンズ群とからなり、遠距離物体から近距離物体への合焦の際に、フォーカシングレンズ群は、後側正レンズ群との距離を変化させるように移動し、フォーカシングレンズ群は１つのレンズ成分からなる。これが、本実施形態のリアフォーカスレンズ系の基本構成である。
【００２２】
上記の基本構成では、まず、明るさ絞りを挟んで物体側と像側に、それぞれ正屈折力のレンズ群（前側レンズ群、後側レンズ群）が配置されている。このような配置は、諸収差の補正に有利となる。次に、前側レンズ群を物体側から、負屈折力のレンズ群（前側負レンズ群）、正屈折力のレンズ群（前側正レンズ群）の順に配置している。このような配置は、必要な画角の確保や所定のバックフォーカスの確保に有利となる。
【００２３】
更に、後側レンズ群を、正屈折力のレンズ群（後側正レンズ群）と、フォーカシングレンズ群とで構成し、後側正レンズ群の像側にフォーカシングレンズ群を配置している。そして、フォーカシングレンズ群を１つのレンズ成分で構成している。上記のように、フォーカシング動作時、あるいはウォブリング動作時には、レンズ群の移動が行なわれる。そのため、このような配置と構成は、移動させるレンズ群の軽量化と、軽量化によるフォーカシング動作やウォブリングの動作時における駆動電力の低減、駆動音の低減に有利となる。以上のことから、リアフォーカスレンズ系において、後側レンズ群は上記のような配置と構成を採ることが好ましい。
【００２４】
そして、第１の実施形態のリアフォーカスレンズ系は、上記の基本構成に加えて、前側負レンズ群が１つ又は複数の負屈折力のレンズ成分からなり、前側正レンズ群はレンズ成分を有し、該レンズ成分は最も物体側に配置され、且つ正レンズを有し、以下の条件式（１）、（２）、（３）を満足することを特徴とする。
４．０＜Ｆno×Ｌair／ｆent＜８．０      （１）
１．０＜｜ｆRfo｜／ｆent＜６．０      （２）
−２．６＜ｆFN／ｆent＜−０．２      （３）
ただし、
Ｆnoはリアフォーカスレンズ系の最小Ｆナンバー、
Ｌairはリアフォーカスレンズ系の最も物体側のレンズ面から像面までの光軸上での距離、
ｆRfoはフォーカシングレンズ群の焦点距離、
ｆFNは前側負レンズ群の焦点距離、
ｆentはリアフォーカスレンズ系の全系の焦点距離であって、
上記最小Ｆナンバーと全系の焦点距離は、それぞれ、無限遠物体合焦時のＦナンバーと焦点距離、
レンズ成分は、光軸上にて空気と接する屈折面が物体側面と像側面の２つのみのレンズ体、
である。
【００２５】
なお、Ｌairは、リアフォーカスレンズ系の最物体側面から最像側面までの軸上距離に、バックフォーカスを加えた距離と等しい。ここで、最物体側面から最像側面までの軸上距離は空気換算しない距離、バックフォーカスは空気換算した距離である。
【００２６】
デジタルカメラ（レンズ交換タイプ、レンズ非交換タイプ）のレンズ系では、レンズ系よりも像側のスペースに、光学フィルター類が配置される。また、交換レンズを着脱するシステム一眼カメラ（レンズ交換タイプ）では、カメラ本体側にフィルターが配置されている。そこで、交換レンズをカメラ本体に装着するあたり、交換レンズと本体側のフィルターとの干渉を防ぐ必要がある。以上のことから、デジタルカメラのレンズ系には、適度な長さのバックフォーカスを確保することが求められる。
【００２７】
そこで、本実施形態のリアフォーカスレンズ系では、前側レンズ群において、最も物体側に前側負レンズ群を配置している。そして、この前側負レンズ群を、１つまたは複数の負レンズ成分にて構成している。これにより、前側レンズ群の構成は、前側が負屈折力のレンズ群、後側が正屈折力のレンズ群となる。このように、前側レンズ群をレトロフォーカスタイプの構成としているため、適切なバックフォーカスを確保することができる。ここで、１つまたは２つの負レンズ成分で前側負レンズ群を構成しても良い。
【００２８】
また、上記のように、前側正レンズ群はレンズ成分を有し、該レンズ成分は最も物体側に配置され、且つ正レンズを有することが好ましい。前側正レンズ群の物体側には、前側負レンズ群が配置されている。この前側負レンズ群は、負屈折力のレンズ成分でだけで構成されている。そのため、前側正レンズ群がこのような構成を備えることは、前側負レンズ群で発生する収差の補正に有利となる。
【００２９】
条件式（１）は、レンズ系の全長に関するものである。明るく広画角なレンズ系においてＦナンバーをより小さくしようとすると、収差を良好に補正するために、レンズの枚数が増加してしまう。その結果、レンズ系の全長が長くなりがちである。しかし、ユーザーの利便性を考えると、レンズ系は小型であることが好ましい。良好な光学性能の確保とレンズ系の全長の短縮化を両立させるための好ましい条件が、条件式（１）である。
【００３０】
条件式（１）の上限を上回らないようにして、レンズ系の全長が長くなることを抑え、携帯性の向上を図ることが好ましい。
【００３１】
条件式（１）の下限を下回らないようにして、良好な収差補正を行うために必要な光路（レンズの厚み、レンズ間隔）を確保することが好ましい。
【００３２】
条件式（２）は、フォーカシングレンズ群の好ましい屈折力を特定するものである。
【００３３】
条件式（２）の上限を上回らないようにして、フォーカシングレンズ群の屈折力を適切に確保することで、合焦に伴うレンズ群の移動量を抑えることができる。条件式（２）の上限を上回らないことは、レンズ系の全長の短縮化に有利となる。
【００３４】
条件式（２）の下限を下回らないようにして、フォーカシングレンズ群の屈折力を適度に抑えることで、合焦に伴う収差変動を低減しやすくなる。また、１つのレンズ成分にてフォーカシングレンズ群を構成しても、収差変動を抑えることができる。
【００３５】
条件式（３）は、前側負レンズ群の好ましい屈折力を特定するものである。
【００３６】
条件式（３）の上限を上回らないように前側負レンズ群の屈折力を適度に抑えることは、レンズ系の全長の短縮化に有利となる他、収差の低減にも有利となる。
【００３７】
条件式（３）の下限を下回らないように前側負レンズ群の屈折力を適切に確保することは、所定のバックフォーカスの確保に有利となる。
【００３８】
また、第２の実施形態のリアフォーカスレンズ系は、上記の基本構成に加えて、前側負レンズ群が１つの負屈折力のレンズ成分からなり、前側正レンズ群はレンズ成分を有し、該レンズ成分は最も物体側に配置され、且つ正レンズを有し、フォーカシングレンズ群の屈折力は正屈折力であり、フォーカシングレンズ群の移動は、後側正レンズ群との距離を縮めるような移動であり、以下の条件式（１）、（４）を満足することを特徴とする。
４．０＜Ｆno×Ｌair／ｆent＜８．０      （１）
１．０＜ｆRfo／ｆent＜６．０      （４）
ただし、
Ｆnoはリアフォーカスレンズ系の最小Ｆナンバー、
Ｌairはリアフォーカスレンズ系の最も物体側のレンズ面から像面までの光軸上での距離、
ｆRfoはフォーカシングレンズ群の焦点距離、
ｆentはリアフォーカスレンズ系の全系の焦点距離であって、
上記最小Ｆナンバーと全系の焦点距離は、それぞれ、無限遠物体合焦時のＦナンバーと焦点距離、
レンズ成分は、光軸上にて空気と接する屈折面が物体側面と像側面の２つのみのレンズ体、
である。
【００３９】
前側正レンズ群の構成、条件式（１）の技術的意義については、上述のとおりである。
【００４０】
また、前側負レンズ群を１つの負屈折力のレンズ成分で構成することは、最も物体側のレンズの径の小型化やレンズ系の全長の短縮化に好ましい。
【００４１】
また、フォーカシングレンズ群の屈折力を正屈折力とした場合、後側正レンズ群との距離を縮めるようにフォーカシングレンズ群を移動させることで、遠距離物体から近距離物体への合焦ができる。このような構成にすると、射出瞳を像面から離しやすくなる。よって、このような構成は、電子撮像素子を用いる撮像装置、例えばデジタルカメラのレンズ系に好適である。
【００４２】
条件式（４）は、フォーカシングレンズ群の好ましい屈折力を特定するものである。
【００４３】
条件式（４）の上限を上回らないようにして、フォーカシングレンズ群の屈折力を適切に確保することで、合焦に伴うレンズ群の移動量の増大を抑えることができる。条件式（４）の上限を上回らないことは、レンズ系の全長の短縮化に有利となる。
【００４４】
条件式（４）の下限を下回らないようにして、フォーカシングレンズ群の屈折力を適度に抑えることで、合焦に伴う収差変動を低減しやすくなる。また、１つのレンズ成分にてフォーカシングレンズ群を構成しても、収差変動を抑えることができる。
【００４５】
また、第３の実施形態のリアフォーカスレンズ系は、上記の基本構成に加えて、前側負レンズ群が１つ又は複数の負屈折力のレンズ成分からなり、フォーカシングレンズ群の屈折力は負屈折力であり、フォーカシングレンズ群の移動は、後側正レンズ群との距離を広げるような移動であり、以下の条件式（５）を満足することを特徴とする。
−６．０＜ｆRfo／ｆent＜−１．０      （５）
ただし、
ｆRfoはフォーカシングレンズ群の焦点距離、
ｆentはリアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
【００４６】
前側負レンズ群を１つまたは複数の負屈折力のレンズ成分で構成する技術的意義は、上述のとおりである。
【００４７】
また、フォーカシングレンズ群の屈折力を負屈折力とした場合、後側正レンズ群との距離を広げるようにフォーカシングレンズ群を移動させることで、遠距離物体から近距離物体への合焦ができる。このような構成は、レンズ系全体の小型化に有利となる。加えて、レンズ系全体でみると、屈折力の符号（屈折力の正負）の配置を明るさ絞りに対して対称にできるので、上記の構成は収差補正に有利となる。
【００４８】
条件式（５）は、フォーカシングレンズ群の好ましい屈折力を特定するものである。
【００４９】
条件式（５）の上限を上回らないようにして、フォーカシングレンズ群の屈折力を適度に抑えることで、合焦に伴う収差変動を低減しやすくなる。また、１つのレンズ成分にてフォーカシングレンズ群を構成しても、収差変動を抑えることができる。
【００５０】
条件式（５）の下限を下回らないようにして、フォーカシングレンズ群の屈折力を適切に確保することで、合焦に伴うレンズ群の移動量の増大を抑えることができる。条件式（５）の下限を下回らないことは、レンズ系の全長の短縮化に有利となる。
【００５１】
また、上記の実施形態のリアフォーカスレンズ系は、負屈折力のレンズ成分を多くとも２つ有することが好ましい。
【００５２】
このようにすることは、レンズ系の最も物体側のレンズ径や、レンズ系の全長の短縮化に有利となる。
【００５３】
また、上記の実施形態のリアフォーカスレンズ系では、負屈折力のレンズ成分が２つであることが好ましい。
【００５４】
このようにすることは、広画角化と、それに伴う軸外収差の低減の両立に有利となる。
【００５５】
また、上記の実施形態のリアフォーカスレンズ系では、負屈折力のレンズ成分の各々が負屈折力の単レンズからなることが好ましい。
【００５６】
このようにすることは、コスト低減にも有利となる。
【００５７】
また、上記の実施形態のリアフォーカスレンズ系では、負屈折力のレンズ成分が１つであることが好ましい。
【００５８】
このようにすることは、レンズ系の全長の短縮化にいっそう有利となる。
【００５９】
また、上記の実施形態のリアフォーカスレンズ系では、負屈折力のレンズ成分が単レンズからなることが好ましい。
【００６０】
このようにすることは、コスト低減にも有利となる。
【００６１】
また、上記の第３の実施形態のリアフォーカスレンズ系では、前側正レンズ群がレンズ成分を有し、該レンズ成分が最も物体側に配置され、且つ正レンズを有することが好ましい。
【００６２】
このようにすることは、上述のとおり、前側負レンズ群で発生する収差の補正に有利となる。
【００６３】
また、上記の実施形態のリアフォーカスレンズ系では、前側正レンズ群におけるレンズ成分が正屈折力のレンズ成分からなることが好ましい。
【００６４】
このようにすると、この正屈折力のレンズ成分を通過する軸外光線の光線高を高くできる。よって、前側負レンズ群にて発生する軸外収差を、この正屈折力のレンズ成分でキャンセルさせやすくなる。
【００６５】
また、上記の実施形態のリアフォーカスレンズ系では、正屈折力のレンズ成分が１つの正屈折力の単レンズからなることが好ましい。
【００６６】
このようにすることは、レンズ系の全長の短縮化とコスト低減に有利となる。
【００６７】
また、上記の実施形態のリアフォーカスレンズ系では、前側正レンズ群におけるレンズ成分が正レンズと負レンズを含む接合レンズ成分からなることが好ましい。
【００６８】
このようにすることは、色収差の補正に有利となる。
【００６９】
また、上記の実施形態のリアフォーカスレンズ系は、以下の条件式（６）を満足することが好ましい。
０．７５＜ｆｂair/ｆent＜１．３      （６）
ただし、
ｆｂairはリアフォーカスレンズ系のバックフォーカス、
ｆentはリアフォーカスレンズ系の全系の焦点距離、
である。
【００７０】
条件式（６）は、リアフォーカスレンズ系の好ましいバックフォーカスの長さを特定する条件式である。
【００７１】
条件式（６）の下限を下回らないようにしてフィルター等を配置可能とするスペースを確保しつつ、条件式（６）の上限を上回らないようにしてレンズ全長の短縮化も図ることが好ましい。
【００７２】
また、上記の実施形態のリアフォーカスレンズ系では、後側正レンズ群が正屈折力の非球面レンズを有し、以下の条件式（７）を満足することが好ましい。
１．６５＜ｎＬasp＜１．９５      （７）
ただし、
ｎＬaspは、非球面レンズのｄ−ｌｉｎｅにおける屈折率、
である。
【００７３】
このようにするとは、球面収差やコマ収差の補正に有利となる。よって、非球面レンズが条件式（７）を満足することが好ましい。
【００７４】
条件式（７）の上限を上回らないように屈折率を抑えることは、実用可能な硝材のうち分散の小さい硝材を使用することになる。よって、条件式（７）の上限を上回らないことは、色収差の補正に有利となる。
【００７５】
条件式（７）の下限を下回らないように屈折率を確保することは、ペッツバール和の補正による像面湾曲収差の低減に有利となる。
【００７６】
また、上記の実施形態のリアフォーカスレンズ系では、非球面レンズが、後側正レンズ群のなかで最も像側に位置するレンズであることが好ましい。
【００７７】
このようにすることで、非球面における軸上光束と軸外光束の通過場所を、異ならせることができる。よって、このようにすることは、非球面による諸収差の補正に有利となる。
【００７８】
また、上記の実施形態のリアフォーカスレンズ系では、後側正レンズ群が、物体側から順に、負レンズ、正レンズ、正レンズからなることが好ましい。
【００７９】
このようにすることは、像面湾曲の補正等に有利となる。
【００８０】
また、上記の実施形態のリアフォーカスレンズ系では、後側正レンズ群が、物体側から順に、物体側面が物体側に凹面を向けた負レンズ、像側面が像側に凸面を向けた正レンズ、像側面が像側に凸面を向けた正レンズからなることが好ましい。
【００８１】
このようにすることは、像面湾曲の補正等に、より有利となる。
【００８２】
また、上記の実施形態のリアフォーカスレンズ系では、フォーカシングレンズ群が非球面レンズを有することが好ましい。
【００８３】
本実施形態のリアフォーカスレンズ系では、フォーカシングレンズ群を一つのレンズ成分で構成している。一つのレンズ成分としては、１枚のレンズ、あるいは１枚の接合レンズがある。このフォーカシングレンズ群は、近距離物体へ合焦したとき、球面収差が増加しやすい。そこで、この球面収差の増加を抑えるべく、フォーカシングレンズ群に非球面レンズを持たせることが好ましい。フォーカシングレンズ群が非球面レンズを有することで、近距離物体へ合焦に伴う球面収差の変動を抑制できる。
【００８４】
また、上記の実施形態のリアフォーカスレンズ系では、フォーカシングレンズ群が以下の条件式（８）を満足することが好ましい。
１．６５＜ｎＬRfo＜１．９５      （８）
ただし、
ｎＬRfoは、フォーカシングレンズ群中の全レンズのｄ−ｌｉｎｅにおける屈折率の平均値、
である。
【００８５】
条件式（８）の上限を上回らないように屈折率を抑えることで、実用可能な硝材のうち分散の小さい硝材を使用することになる。よって、条件式（８）の上限を上回らないことは、色収差の補正に有利となる。
【００８６】
条件式（８）の下限を下回らないように屈折率を確保することは、合焦に伴う球面収差の変動の低減に有利となる。
【００８７】
また、上記の実施形態のリアフォーカスレンズ系では、フォーカシングレンズ群が単レンズであることが好ましい。
【００８８】
このようにすることは、フォーカシングレンズ群の小型化に一層有利となる。また、このようにすることは、フォーカシング動作時（更に好ましくはウォブリング動作時）の駆動系の電気的負担の低減、駆動に伴って発生する雑音の低減に有利となる。
【００８９】
また、本実施形態の撮像装置は、撮像レンズ系と、撮像レンズ系の像側に配置され撮像レンズ系により形成された像を電気信号に変換する撮像素子とを有し、撮像レンズ系が上記の実施形態のリアフォーカスレンズ系であることを特徴とする。
【００９０】
このようにすることで、本実施形態のリアフォーカスレンズ系のメリットを生かした撮像装置となる。よって、このようにすることが好ましい。
【００９１】
上記の本実施形態のリアフォーカスレンズ系の構成は、特に断りの無いかぎり、最も遠距離の物体、例えば、無限遠物体に合焦した状態での構成である。
【００９２】
なお、それぞれの構成要件は複数同時に満足することがより好ましい。
【００９３】
また、各条件式については、上限値、下限値を以下のようにすることが好ましい。このようにすると、その効果をより確実に得ることができる。
条件式（１）について、
下限値を５．０、更には５．４とすることがより好ましい。
上限値を７．５、更には７．０とすることがより好ましい。
条件式（２）について、
下限値を１．７、更には２．２とすることがより好ましい。
上限値を５．５、更には５．２とすることがより好ましい。
条件式（３）について、
下限値を−２．４、更には−２．２とすることがより好ましい。
上限値を−０．５、更には−０．８とすることがより好ましい。
条件式（４）について、
下限値を１．７、更には２．２とすることがより好ましい。
上限値を５．５、更には５．２、更には４．９とすることがより好ましい。
条件式（５）について、
下限値を−５．５、更には−５．２とすることがより好ましい。
上限値を−１．７、更には−２．２、更には−２．６とすることがより好ましい。
条件式（６）について、
下限値を０．８、更には０．８５とすることがより好ましい。
上限値を１．２、更には１．１５とすることがより好ましい。
条件式（７）について、
下限値を１．７０、更には１．７４とすることがより好ましい。
上限値を１．９３、更には１．９２とすることがより好ましい。
条件式（８）について、
下限値を１．６７、更には１．６９とすることがより好ましい。
上限値を１．９３、更には１．９１とすることがより好ましい。
【００９４】
なお、上述のリアフォーカスレンズ系は、複数の構成を同時に満足してもよい。このようにすることが、良好なリアフォーカスレンズ系、及び撮像装置を得る上で好ましい。また、好ましい構成の組み合わせは任意である。また、各条件式について、より限定した条件式の数値範囲の上限値あるいは下限値のみを限定しても構わない。
【００９５】
以下に、本発明に係るリアフォーカスレンズ系、及び撮像装置の実施例を図面に基づいて詳細に説明する。なお、この実施例によりこの発明が限定されるものではない。実施例２、６〜９は参考例である。
【００９６】
以下に示す実施例は、広角レンズ、特にデジタルカメラの交換レンズシステム用途として最適な、小型で、明るく、高性能な、広画角のリアフォーカスレンズ系となっている。また、フォーカシングレンズ群をウォブリングレンズ群と兼用する構成としてもよい。
【００９７】
以下、本発明のリアフォーカスレンズ系の実施例１〜９について説明する。実施例１〜９の無限遠物体合焦時のレンズ断面図を、それぞれ図１〜図５に示す。図１〜図５中、前側レンズ群はＬＡ、開口絞りはＳ、後側レンズ群はＬＢ、平行平板はＣ、像面はＩで示してある。更に、前側負レンズ群はＬＡ１、前側正レンズ群はＬＡ２、後側正レンズ群はＬＢ１、フォーカシングレンズ群はＬＢ２で示してある。なお、図１〜図５では、フィルター類（ダスト除去フィルター、赤外カットフィルター、ローパスフィルター）と撮像面を保護するカバーガラスを、光学的に等価な１つの平行平板Ｃとして図示している。
【００９８】
実施例１のリアフォーカスレンズ系は、図１（ａ）に示すように、物体側から順に、正屈折力の前側レンズ群ＬＡと、明るさ絞りＳと、正屈折力の後側レンズ群ＬＢとで構成されている。更に、前側レンズ群ＬＡは、負屈折力の前側負レンズ群ＬＡ１と、正屈折力の前側正レンズ群ＬＡ２とで構成されている。また、後側レンズ群ＬＢは、正屈折力の後側正レンズ群ＬＢ１と、フォーカシングレンズ群ＬＢ２とで構成されている。
【００９９】
無限遠物体から近距離物体への合焦に際して、前側レンズ群ＬＡは、静止し、明るさ絞りＳは静止し、後側正レンズ群ＬＢ１は静止し、フォーカシングレンズ群ＬＢ２は像側へ移動する。
【０１００】
物体側から順に、前側負レンズ群ＬＡ１は、物体側に凸面を向けた負メニスカスレンズＬ１と、両凹負レンズＬ２と、両凸正レンズＬ３と、で構成されている。前側正レンズ群ＬＡ２は、両凸正レンズＬ４と、両凹負レンズＬ５とで構成されている。ここで両凹負レンズＬ２と両凸正レンズＬ３とが接合されている。後側正レンズ群ＬＢ１は、両凹負レンズＬ６と、両凸正レンズＬ７と、両凸正レンズＬ８とで構成されている。ここで、両凹負レンズＬ６と両凸正レンズＬ７とが接合されている。フォーカシングレンズ群ＬＢ２は、像側に凸面を向けた負メニスカスレンズＬ９で構成されている。
【０１０１】
非球面は、負メニスカスレンズＬ１の両面と、両凸正レンズ８の両面と、負メニスカスレンズＬ９の両面との合計６面に用いている。
【０１０２】
実施例２のリアフォーカスレンズ系を図１（ｂ）に示す。レンズ群の配列の順序や各レンズ群の屈折力は実施例１と同じである。
【０１０３】
無限遠物体から至近距離物体への合焦に際して、各レンズ群は実施例１と同じ動き（移動・静止）をする。
【０１０４】
物体側から順に、前側負レンズ群ＬＡ１は、両凹負レンズＬ１と、両凹負レンズＬ２とで構成されている。前側正レンズ群ＬＡ２は、像側に凸面を向けた正メニスカスレンズＬ３と、両凸正レンズＬ４と、像側に凸面を向けた正メニスカスレンズＬ５とで構成されている。ここで、両凸正レンズＬ４と正メニスカスレンズＬ５とが接合されている。後側正レンズ群ＬＢ１は、両凹負レンズＬ６と、両凸正レンズＬ７と、両凸正レンズＬ８とで構成されている。ここで、両凹負レンズＬ６と両凸正レンズＬ７とが接合されている。フォーカシングレンズ群ＬＢ２は、像側に凸面を向けた負メニスカスレンズＬ９で構成されている。
【０１０５】
非球面は、両凸正レンズＬ８の両面と、負メニスカスレンズＬ９の両面との合計４面に用いている。
【０１０６】
実施例３のリアフォーカスレンズ系を図２（ａ）に示す。レンズ群の配列の順序や各レンズ群の屈折力は実施例１と同じである。
【０１０７】
無限遠物体から至近距離物体への合焦に際して、各レンズ群は実施例１と同じ動き（移動・静止）をする。
【０１０８】
物体側から順に、前側負レンズ群ＬＡ１は、物体側に凸面を向けた負メニスカスレンズＬ１で構成されている。前側正レンズ群ＬＡ２は、凸平正レンズＬ２と、平凹負レンズＬ３とで構成されている。ここで、凸平正レンズＬ２と平凹負レンズＬ３とが接合されている。後側正レンズ群ＬＢ１は、両凹負レンズＬ４と、両凸正レンズＬ５と、両凸正レンズＬ６とで構成されている。ここで、両凹負レンズＬ４と両凸正レンズＬ５とが接合されている。フォーカシングレンズ群ＬＢ２は、物体側に凸面を向けた負メニスカスレンズＬ７で構成されている。
【０１０９】
非球面は、負メニスカスレンズＬ１の両面と、両凸正レンズＬ６の両面との合計４面に用いている。
【０１１０】
実施例４のリアフォーカスレンズ系を図２（ｂ）に示す。レンズ群の配列の順序や各レンズ群の屈折力は実施例１と同じである。
【０１１１】
無限遠物体から至近距離物体への合焦に際して、各レンズ群は実施例１と同じ動き（移動・静止）をする。
【０１１２】
物体側から順に、前側負レンズ群ＬＡ１は、物体側に凸面を向けた負メニスカスレンズＬ１で構成されている。前側正レンズ群ＬＡ２は、物体側に凸面を向けた正メニスカスレンズＬ２で構成されている。後側正レンズ群ＬＢ１は、両凹負レンズＬ３と、両凸正レンズＬ４と、両凸正レンズＬ５とで構成されている。ここで、両凹負レンズＬ３と両凸正レンズＬ４とが接合されている。フォーカシングレンズ群ＬＢ２は、両凹負レンズＬ６で構成されている。
【０１１３】
非球面は、負メニスカスレンズＬ１の両面と、両凸正レンズＬ５の両面との合計４面に用いている。
【０１１４】
実施例５のリアフォーカスレンズ系を図３（ａ）に示す。レンズ群の配列の順序や各レンズ群の屈折力は実施例１と同じである。
【０１１５】
無限遠物体から至近距離物体への合焦に際して、各レンズ群は実施例１と同じ動き（移動・静止）をする。
【０１１６】
物体側から順に、前側負レンズ群ＬＡ１は、物体側に凸面を向けた負メニスカスレンズＬ１で構成されている。前側正レンズ群ＬＡ２は、物体側に凸面を向けた負メニスカスレンズＬ２と、物体側に凸面を向けた正メニスカスレンズＬ３とで構成されている。ここで、負メニスカスレンズＬ２と正メニスカスレンズＬ３とが接合されている。後側正レンズ群ＬＢ１は、両凹負レンズＬ４と、両凸正レンズＬ５と、両凸正レンズＬ６とで構成されている。ここで、両凹負レンズＬ４と両凸正レンズＬ５とが接合されている。フォーカシングレンズ群ＬＢ２は、物体側に凸面を向けた負メニスカスレンズＬ７で構成されている。
【０１１７】
非球面は、負メニスカスレンズＬ１の両面と、両凸正レンズＬ６の両面との合計４面に用いている。
【０１１８】
実施例６のリアフォーカスレンズ系を図３（ｂ）に示す。レンズ群の配列の順序や各レンズ群の屈折力は実施例１と同じである。
【０１１９】
無限遠物体から至近距離物体への合焦に際して、各レンズ群は実施例１と同じ動き（移動・静止）をする。
【０１２０】
物体側から順に、前側負レンズ群ＬＡ１は、物体側に凸面を向けた負メニスカスレンズＬ１で構成されている。前側正レンズ群ＬＡ２は、物体側に凸面を向けた正メニスカスレンズＬ２と、像側に凸面を向けた正メニスカスレンズＬ３と、像側に凸面を向けた負メニスカスレンズＬ４とで構成されている。ここで、正メニスカスレンズＬ３と負メニスカスレンズＬ４とが接合されている。後側正レンズ群ＬＢ１は、両凹負レンズＬ５と、両凸正レンズＬ６と、両凸正レンズＬ７とで構成されている。ここで、両凹負レンズＬ５と両凸正レンズＬ６とが接合されている。フォーカシングレンズ群ＬＢ２は、像側に凸面を向けた負メニスカスレンズＬ８で構成されている。
【０１２１】
非球面は、負メニスカスレンズＬ１の両面と、両凸正レンズＬ７の両面と、負メニスカスレンズＬ８の両面との合計６面に用いている。
【０１２２】
実施例７のリアフォーカスレンズ系を図４（ａ）に示す。レンズ群の配列の順序や各レンズ群の屈折力は実施例１と同じである。
【０１２３】
無限遠物体から至近距離物体への合焦に際して、前側レンズ群ＬＡは、静止し、明るさ絞りＳは静止し、後側正レンズ群ＬＢ１は静止し、フォーカシングレンズ群ＬＢ２は物体側へ移動する。
【０１２４】
物体側から順に、前側負レンズ群ＬＡ１は、物体側に凸面を向けた負メニスカスレンズＬ１で構成されている。前側正レンズ群ＬＡ２は、両凸正レンズＬ２と、両凹負レンズＬ３と、両凸正レンズＬ４と、物体側に凸面を向けた負メニスカスレンズＬ５とで構成されている。後側正レンズ群ＬＢ１は、両凹負レンズＬ６と、両凸正レンズＬ７と、両凸正レンズＬ８とで構成されている。ここで、両凹負レンズＬ５と両凸正レンズＬ６とが接合されている。フォーカシングレンズ群ＬＢ２は、両凸正レンズＬ９で構成されている。
【０１２５】
非球面は、負メニスカスレンズＬ１の両面と、両凸正レンズＬ８の両面との合計４面に用いている。
【０１２６】
実施例８のリアフォーカスレンズ系を図４（ｂ）に示す。レンズ群の配列の順序や各レンズ群の屈折力は実施例７と同じである。
【０１２７】
無限遠物体から至近距離物体への合焦に際して、各レンズ群は実施例７と同じ動き（移動・静止）をする。
【０１２８】
物体側から順に、前側負レンズ群ＬＡ１は、物体側に凸面を向けた負メニスカスレンズＬ１で構成されている。前側正レンズ群ＬＡ２は、像側に凸面を向けた正メニスカスレンズＬ２と、両凸正レンズＬ３と、両凹負レンズＬ４とで構成されている。ここで、両凸正レンズＬ３と両凹負レンズＬ４とが接合されている。後側正レンズ群ＬＢ１は、両凹負レンズＬ５と、両凸正レンズＬ６と、両凸正レンズＬ７とで構成されている。ここで、両凹負レンズＬ５と両凸正レンズＬ６とが接合されている。フォーカシングレンズ群ＬＢ２は、両凸正レンズＬ８で構成されている。
【０１２９】
非球面は、負メニスカスレンズＬ１の両面と、両凸正レンズＬ７の両面と、両凸正レンズＬ８の物体側面との合計５面に用いている。
【０１３０】
実施例９のリアフォーカスレンズ系を図５に示す。レンズ群の配列の順序や各レンズ群の屈折力は実施例７と同じである。
【０１３１】
無限遠物体から至近距離物体への合焦に際して、各レンズ群は実施例７と同じ動き（移動・静止）をする。
【０１３２】
物体側から順に、前側負レンズ群ＬＡ１は、物体側に凸面を向けた負メニスカスレンズＬ１で構成されている。前側正レンズ群ＬＡ２は、両凸正レンズＬ２と、両凹負レンズＬ３と、両凸正レンズＬ４とで構成されている。後側正レンズ群ＬＢ１は、像側に凸面を向けた負メニスカスレンズＬ５と、両凸正レンズＬ６と、像側に凸面を向けた正メニスカスレンズＬ７とで構成されている。フォーカシングレンズ群ＬＢ２は、物体側に凸面を向けた正メニスカスレンズＬ８で構成されている。
【０１３３】
非球面は、負メニスカスレンズＬ１の両面と、正メニスカスレンズＬ７の両面と、正メニスカスレンズＬ８の両面との合計６面に用いている。
【０１３４】
なお、実施例１、２、７のＬ６、実施例３、５のＬ４、実施例４のＬ３、実施例６、８、９のＬ５は、いずれも、物体側面が物体側に凹面を向けた負レンズである。実施例１、２、７のＬ７、実施例３、５のＬ５、実施例４のＬ４、実施例６、８、９のＬ６は、いずれも、像側面が像側に凸面を向けた正レンズである。実施例１、２、７のＬ８、実施例３、５のＬ６、実施例４のＬ５、実施例６、８、９のＬ７は、いずれも、像側面が像側に凸面を向けた正レンズである。
【０１３５】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数である。また、焦点距離は全系の焦点距離、ＦｎｏはＦナンバー、ωは半画角である。なお、全長は、レンズ最前面からレンズ最終面までの距離にバックフォーカスを加えたものである。ＢＦ（バックフォーカス）は、レンズ最終面から近軸像面までの距離を空気換算して表したものである。
【０１３６】
また、合焦状態については、無限遠時は無限遠物体に合焦した時、物像間距離２５０ｍｍ時は、物像間距離が２５０ｍｍとなるときの物体に合焦した時のことを表している。なお、近距離物体へ合焦した状態としては、例えば、物像間距離２５０ｍｍ時の状態がある。また、群焦点距離において、後側レンズ群ＬＢの焦点距離の値は、無限遠物体に合焦した時の値である。
【０１３７】
また、非球面形状は、ｘを光の進行方向を正とした光軸とし、ｙを光軸と直交する方向にとると、下記の式にて表される。
ｘ＝（ｙ2／Ｒ）／［１＋｛１−（Ｋ＋１）（ｙ／Ｒ）2｝1/2］
＋Ａ4ｙ4 ＋Ａ6ｙ6＋Ａ8ｙ8＋Ａ10ｙ10＋Ａ12ｙ12
ただし、Ｒは近軸曲率半径、Ｋは円錐係数、Ａ4、Ａ6、Ａ8、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１３８】
数値実施例１
単位ｍｍ
面データ
面番号     r           d            nd           νd   
物面      ∞           ∞     
1*      35.3707       1.200       1.58313       59.38
2*      12.1077       5.188
3      -20.0898       1.000       1.92286       18.90 
4      152.4567       3.162       1.90366       31.32 
5      -22.4250       0.150 
6       18.2374       3.000       2.00069       25.46 
7     -111.7807       0.248 
8      -67.2318       1.000       1.49700       81.54 
9       42.0807       2.089 
10(絞り)  ∞          4.958 
11      -9.3487       0.800       1.84666       23.78 
12      24.3538       3.432       1.59282       68.63 
13     -13.6192       0.150 
14*     35.8615       4.638       1.80610       40.92 
15*    -13.1962       可変
16*    -18.3575       1.234       1.80610       40.92 
17*    -27.1640       可変 
18        ∞          4.000       1.51633       64.14 
19        ∞          1.000 
像面（撮像面）∞
非球面データ
第1面
K=2.2548 
A4=-4.9174E-06,A6=-1.1263E-08,A8=0.0000E+00,A10=0.0000E+00
第2面
K=-0.8097
A4=2.6014E-05,A6=3.0364E-08,A8=0.0000E+00,A10=0.0000E+00
第14面
K=3.3649 
A4=-4.7353E-05,A6=1.0148E-07,A8=-3.7950E-10,A10=0.0000E+00
第15面
K=0.0787 
A4=8.1510E-05,A6=-5.0514E-09,A8=2.2062E-09,A10=0.0000E+00
第16面
K=-5.0265
A4=2.2130E-04,A6=-5.6885E-07,A8=0.0000E+00,A10=0.0000E+00
第17面
K=0.0000
A4=2.8730E-04,A6=-5.1837E-07,A8=0.0000E+00,A10=0.0000E+00
各種データ
無限遠時
焦点距離       15.818
Fno             2.040
画角（２ω）   69.94
像高           10.820
ＢＦ           16.434
全長           50.183
合焦状態
無限遠時   物像間距離250mm時
d15           1.500          3.769
d17          12.796         10.527
フォーカシングレンズ群ＬＢ２の移動量   像側へ2.269mm
群焦点距離
前側レンズ群ＬＡ      前側負レンズ群ＬＡ１      前側正レンズ群ＬＡ２
32.700               -32.978                     20.371
後側レンズ群ＬＢ      後側正レンズ群ＬＢ１      フォーカシングレンズ群ＬＢ２
22.536                16.157                    -74.931
【０１３９】
数値実施例２
単位ｍｍ
面データ
面番号     r           d            nd           νd   
物面      ∞           ∞
1     -190.7928       1.000       1.60311       60.64 
2       17.0709       4.283 
3      -65.6398       1.000       1.54072       47.23 
4       29.1506       2.550 
5      -59.8779       2.112       1.80400       46.57 
6      -28.4422       0.195
7       17.8187       3.587       1.72916       54.68 
8    -3613.4330       1.000       1.59270       35.31 
9      -77.2778       1.971
10(絞り)  ∞         10.396 
11      -9.6476       0.800       1.75520       27.51 
12      39.4214       3.789       1.69680       55.53 
13     -16.3094       0.150        
14*     36.7323       5.294       1.74320       49.34 
15*    -15.2211       可変 
16*    -12.7481       1.000       1.74320       49.34 
17*    -17.7438       可変 
18        ∞          4.000       1.51633       64.14 
19        ∞          1.000 
像面（撮像面）∞
非球面データ
第14面
K=0.0000
A4=-1.6842E-06,A6=-2.2466E-07,A8=5.1823E-10,A10=0.0000E+00
第15面
K=0.0000
A4=9.5171E-05,A6=-3.1876E-07,A8=1.1592E-09,A10=0.0000E+00
第16面
K=0.0000 
A4=4.9819E-04,A6=-2.3882E-06,A8=9.0718E-09,A10=0.0000E+00
第17面
K=0.0000 
A4=4.0096E-04,A6=-1.5898E-06,A8=3.6137E-09,A10=0.0000E+00
各種データ
無限遠時
焦点距離       16.579
Fno             1.730
画角（２ω）   71.46
像高           10.820
ＢＦ           18.399
全長           59.420
合焦状態
無限遠時   物像間距離250mm時
d15           1.894          3.895
d17          14.761         12.760
フォーカシングレンズ群ＬＢ２の移動量   像側へ2.001mm
群焦点距離
前側レンズ群ＬＡ      前側負レンズ群ＬＡ１      前側正レンズ群ＬＡ２
39.668               -14.204                     15.785
後側レンズ群ＬＢ      後側正レンズ群ＬＢ１      フォーカシングレンズ群ＬＢ２
25.993                17.649                    -66.609
【０１４０】
数値実施例３
単位ｍｍ
面データ
面番号     r           d            nd           νd   
物面      ∞           ∞
1*     202.0492       0.900       1.49700       81.54 
2*      12.1016       3.266 
3       18.0250       2.605       1.90366       31.32 
4         ∞          0.800       1.76182       26.52
5      221.7383       2.307 
6(絞り)   ∞          5.559 
7       -8.6571       0.900       1.92286       18.90 
8       93.4944       4.021       1.78590       44.20 
9      -12.6425       0.174 
10*     40.9578       4.926       1.91082       35.25 
11*    -16.9813       可変 
12     157.1183       1.000       1.58913       61.14 
13      45.4249       可変
14        ∞          4.000       1.51633       64.14 
15        ∞          1.000 
像面（撮像面）∞
非球面データ
第1面
K=0.0000
A4=2.0193E-05,A6=-2.3044E-07,A8=7.5434E-10,A10=0.0000E+00
第2面
K=0.0220
A4=-1.2525E-05,A6=-1.6986E-07,A8=-4.0538E-09,A10=0.0000E+00
第10面
K=0.9448
A4=-3.1443E-05,A6=9.8803E-08,A8=-1.2435E-10,A10=0.0000E+00
第11面
K=-0.0882
A4=3.7209E-05,A6=-3.3422E-09,A8=4.4759E-10,A10=0.0000E+00
各種データ
無限遠時
焦点距離       16.999
Fno             2.040
画角（２ω）   69.50
像高           10.820
ＢＦ           17.725
全長           45.683
合焦状態
無限遠時   物像間距離250mm時
d11           1.500          3.599
d13          14.087         11.988
フォーカシングレンズ群ＬＢ２の移動量   像側へ2.099mm
群焦点距離
前側レンズ群ＬＡ      前側負レンズ群ＬＡ１      前側正レンズ群ＬＡ２
71.066               -25.942                    21.271
後側レンズ群ＬＢ      後側正レンズ群ＬＢ１      フォーカシングレンズ群ＬＢ２
19.509                14.163                   -59.703
【０１４１】
数値実施例４
単位ｍｍ
面データ
面番号     r           d            nd           νd   
物面      ∞           ∞
1*     101.4317       1.000       1.58313       59.38 
2*       8.1591       0.350 
3       10.5158       2.308       1.91082       35.25 
4      110.2627       1.054 
5(絞り)   ∞          4.370 
6       -7.2727       0.800       1.84666       23.78 
7       50.4515       4.681       1.77250       49.60 
8      -11.0870       0.150  
9*      29.3851       7.022       1.74320       49.29 
10*    -14.2838       可変 
11     -46.9681       1.200       1.77250       49.60 
12     179.0025       可変 
13        ∞          4.000       1.51633       64.14 
14        ∞          1.000 
像面（撮像面）∞
非球面データ
第1面
K=0.0000
A4=3.5475E-05,A6=-1.4892E-06,A8=-3.3787E-08,A10=9.8311E-10
第2面
K=0.5879
A4=-1.9847E-04,A6=-6.2865E-06,A8=-2.1899E-07,A10=2.0709E-09
第9面
K=-0.3265
A4=-3.8469E-05,A6=9.9942E-08,A8=7.1888E-11,A10=0.0000E+00
第10面
K=-0.3223
A4=4.9650E-05,A6=-2.7076E-08,A8=4.1331E-10,A10=2.1323E-12
各種データ
無限遠時
焦点距離       17.349
Fno             2.860
画角（２ω）   68.71
像高           10.820
ＢＦ           17.118
全長           41.153
合焦状態
無限遠時   物像間距離250mm時
d10           1.100          2.798
d12          13.480         11.782
フォーカシングレンズ群ＬＢ２の移動量   像側へ1.698mm
群焦点距離
前側レンズ群ＬＡ      前側負レンズ群ＬＡ１      前側正レンズ群ＬＡ２
68.346               -15.276                    12.623
後側レンズ群ＬＢ      後側正レンズ群ＬＢ１      フォーカシングレンズ群ＬＢ２
18.274                12.483                   -48.052
【０１４２】
数値実施例５
単位ｍｍ
面データ
面番号     r           d            nd           νd   
物面      ∞           ∞
1*      43.7949       1.000       1.58313       59.38 
2*      10.6265       4.183 
3       16.8038       1.100       1.59282       68.63 
4        8.5000       5.221       1.72000       43.69 
5      105.7665       4.000 
6(絞り)   ∞          4.168 
7       -7.6266       0.900       1.80518       25.42 
8       27.7547       4.174       1.75700       47.82 
9      -12.3848       0.150 
10*     36.1934       4.695       1.83481       42.71 
11*    -16.7266       可変 
12      89.9921       1.200       1.90366       31.32 
13      40.0519       可変 
14        ∞          4.000       1.51633       64.14 
15        ∞          1.000 
像面（撮像面）∞
非球面データ
第1面
K=0.0000
A4=2.8426E-05,A6=-3.7297E-07,A8=1.4123E-09,A10=0.0000E+00
第2面
K=0.0000
A4=-1.1806E-05,A6=-3.4503E-07,A8=-6.2413E-09,A10=0.0000E+00
第10面
K=0.0000
A4=-3.0172E-05,A6=1.2813E-07,A8=-5.5945E-11,A10=0.0000E+00
第11面
K=0.0000
A4=4.7195E-05,A6=-3.8668E-08,A8=9.9417E-10,A10=0.0000E+00
各種データ
無限遠時
焦点距離       16.285
Fno             1.840
画角（２ω）   70.81
像高           10.820
ＢＦ           18.392
全長           50.683
合焦状態
無限遠時   物像間距離250mm時
d11           1.500          4.288
d13          14.754         11.966
フォーカシングレンズ群ＬＢ２の移動量      像側へ2.788mm
群焦点距離
前側レンズ群ＬＡ      前側負レンズ群ＬＡ１      前側正レンズ群ＬＡ２
102.081               -24.332                    22.591
後側レンズ群ＬＢ      後側正レンズ群ＬＢ１      フォーカシングレンズ群ＬＢ２
18.522                14.725                   -80.789
【０１４３】
数値実施例６
単位ｍｍ
面データ
面番号     r           d            nd           νd   
物面      ∞           ∞
1*     117.9211       1.338       1.49710       81.56 
2*      12.1579       2.749 
3       21.2660       2.785       2.00069       25.46 
4      145.3244       1.561 
5      -89.9683       2.555       1.49700       81.54 
6      -18.3424       1.162       1.69895       30.13 
7      -38.1917       4.115 
8(絞り)   ∞          3.550 
9       -8.1530       0.984       1.80810       22.76 
10      46.2680       5.788       1.72916       54.68 
11     -12.9673       0.017 
12*     30.3731       5.805       1.80610       40.40 
13*    -18.3695       可変 
14*    -53.9241       1.228       1.73310       48.89 
15*   -700.9583       可変
16        ∞          4.000       1.51633       64.14 
17        ∞          1.000 
像面（撮像面）∞
非球面データ
第1面
K=26.0388
A4=-1.9088E-05,A6=-1.1827E-08,A8=-3.4935E-11,A10=0.0000E+00
第2面
K=-0.6040
A4=-3.2316E-05,A6=-1.4898E-07,A8=-1.3525E-09,A10=0.0000E+00
第12面
K=-0.0251
A4=-2.8303E-05,A6=4.4410E-08,A8=-1.5724E-10,A10=0.0000E+00
第13面
K=-0.5158
A4=3.1993E-05,A6=-6.5634E-08,A8=1.8233E-12,A10=0.0000E+00
第14面
K=0.3856
A4=1.7428E-04,A6=-8.8776E-07,A8=7.0241E-10,A10=0.0000E+00
第15面
K=-0.4547
A4=1.7590E-04,A6=-7.5239E-07,A8=-2.5509E-10,A10=0.0000E+00
各種データ
無限遠時
焦点距離       15.984 
Fno             2.040 
画角（２ω）   72.36
像高           10.820
ＢＦ           17.436
全長           52.947
合焦状態
無限遠時   物像間距離250mm時
d13           1.874          4.454
d15          13.798         11.218
フォーカシングレンズ群ＬＢ２の移動量   像側へ2.580mm
群焦点距離
前側レンズ群ＬＡ      前側負レンズ群ＬＡ１      前側正レンズ群ＬＡ２
103.532               -27.384                     24.167
後側レンズ群ＬＢ      後側正レンズ群ＬＢ１      フォーカシングレンズ群ＬＢ２
17.196                13.631                    -79.751
【０１４４】
数値実施例７
単位ｍｍ
面データ
面番号     r           d            nd           νd   
物面      ∞           ∞
1*     168.1123       1.200       1.58313       59.38 
2*      11.8795       7.678 
3       21.5466       4.009       1.91082       35.25 
4      -60.6439       0.915 
5      -25.9904       0.800       1.62004       36.26 
6       14.6445       0.200 
7       13.8827       4.183       1.74400       44.78 
8      -33.5510       0.200 
9       43.6351       0.800       1.59270       35.31 
10      22.6873       2.100 
11(絞り)  ∞          4.576 
12     -10.0260       0.800       1.84666       23.78 
13      35.9093       2.879       1.88300       40.76 
14     -41.1893       0.200 
15*     98.4378       3.974       1.86400       40.58 
16*    -15.6770       可変 
17      57.7542       3.000       1.69350       53.21 
18     -145.6899      可変
19        ∞          4.000       1.51633       64.14 
20        ∞          1.000 
像面（撮像面）∞
非球面データ
第1面
K=144.9293
A4=-1.0666E-05,A6=3.4212E-08,A8=-1.5519E-10,A10=0.0000E+00
第2面
K=-0.2024
A4=-2.1102E-05,A6=-6.9102E-08,A8=-2.3655E-10,A10=0.0000E+00
第15面
K=-0.6305
A4=-2.1605E-05,A6=2.3357E-07,A8=-5.5691E-10,A10=0.0000E+00
第16面
K=-1.1787
A4=-1.5594E-06,A6=1.3092E-07,A8=7.6288E-10,A10=0.0000E+00
各種データ
無限遠時
焦点距離       16.660
Fno             1.720
画角（２ω）   70.77
像高           10.820
ＢＦ           15.235
全長           57.182
合焦状態
無限遠時   物像間距離250mm時
d16           4.433          1.750
d18          11.596         14.279
フォーカシングレンズ群ＬＢ２の移動量   物体側へ2.683mm
群焦点距離
前側レンズ群ＬＡ      前側負レンズ群ＬＡ１      前側正レンズ群ＬＡ２
34.859               -21.983                    18.836
後側レンズ群ＬＢ      後側正レンズ群ＬＢ１      フォーカシングレンズ群ＬＢ２
23.923                44.778                    60.000
【０１４５】
数値実施例８
単位ｍｍ
面データ
面番号     r           d            nd           νd   
物面      ∞           ∞
1*     196.5522       1.200       1.58313       59.38 
2*      10.1274       5.095 
3      -33.8189       1.367       2.00069       25.46 
4      -29.6860       0.162 
5       12.5469       5.138       1.81600       46.62 
6      -36.4228       1.000       1.59270       35.31 
7       44.4790       1.667 
8(絞り)   ∞          6.000 
9       -7.9245       0.800       1.80000       29.84 
10      18.1350       3.000       1.72916       54.68 
11     -24.8150       0.141 
12*     65.4178       3.901       1.74320       49.34 
13*    -14.8165       可変 
14*     53.0196       3.074       1.69350       53.21 
15     -56.3891       可変 
16        ∞          4.000       1.51633       64.14 
17        ∞          1.000 
像面（撮像面）∞
非球面データ
第1面
K=-10.0019
A4=-2.8064E-05,A6=1.3835E-07,A8=-2.2885E-10,A10=0.0000E+00
第2面
K=-0.9256
A4=2.8961E-05,A6=-9.3833E-08,A8=5.1634E-09,A10=0.0000E+00
第12面
K=8.0040
A4=-3.8878E-06,A6=2.2640E-07,A8=9.9634E-11,A10=0.0000E+00
第13面
K=-0.9171
A4=1.9493E-05,A6=2.3813E-07,A8=1.9649E-09,A10=0.0000E+00
第14面
K=-4.2677
A4=-7.3765E-06,A6=3.8310E-08,A8=-2.8740E-10,A10=0.0000E+00
各種データ
無限遠時
焦点距離       16.735
Fno             2.040
画角（２ω）   70.23
像高           10.820
ＢＦ           15.666
全長           52.154
合焦状態
無限遠時   物像間距離250mm時
d13           3.943          1.980
d15          12.028         13.991
フォーカシングレンズ群ＬＢ２の移動量   物体側へ1.963mm
群焦点距離
前側レンズ群ＬＡ      前側負レンズ群ＬＡ１      前側正レンズ群ＬＡ２
31.277               -18.354                    15.186
後側レンズ群ＬＢ      後側正レンズ群ＬＢ１      フォーカシングレンズ群ＬＢ２
21.844                75.311                    39.862
【０１４６】
数値実施例９
単位ｍｍ
面データ
面番号     r           d            nd           νd   
物面      ∞           ∞
1*      46.2702       1.200       1.58313       59.38 
2*       9.2500       3.773 
3       23.8604       3.266       1.90366       31.32 
4     -629.7890       3.579 
5      -19.6207       1.200       1.72151       29.23 
6       55.7447       0.150 
7       16.1220       3.171       1.88300       40.76 
8      -38.8954       2.836 
9(絞り)   ∞          3.886 
10      -7.1093       0.800       1.84666       23.78 
11     -50.0291       0.150 
12      89.6178       3.426       1.72000       46.02 
13      -9.0349       0.150 
14*    -19.5391       1.868       1.80610       40.92 
15*    -14.7852       可変 
16*     39.4016       2.320       1.80610       40.92 
17*    123.6390       可変 
18        ∞          4.000       1.51633       64.14 
19        ∞          1.000 
像面（撮像面）∞
非球面データ
第1面
K=6.9901
A4=-2.3898E-05,A6=1.4665E-07,A8=0.0000E+00,A10=0.0000E+00
第2面
K=-0.2147
A4=-8.7419E-05,A6=-4.1755E-07,A8=0.0000E+00,A10=0.0000E+00
第14面
K=0.0000
A4=-2.0238E-04,A6=1.3479E-06,A8=-4.0204E-08,A10=0.0000E+00
第15面
K=-0.5465
A4=-7.0396E-05,A6=1.3019E-06,A8=-9.9025E-09,A10=0.0000E+00
第16面
K=-27.8427
A4=-8.4185E-06,A6=-7.2382E-07,A8=0.0000E+00,A10=0.0000E+00
第17面
K=0.0000
A4=-8.0718E-05,A6=-4.7852E-07,A8=0.0000E+00,A10=0.0000E+00
各種データ
無限遠時
焦点距離       15.698
Fno             2.040
画角（２ω）   69.39
像高           10.820
ＢＦ           14.197
全長           50.182
合焦状態
無限遠時   物像間距離250mm時
d15           4.210          1.4870
d17          10.559         13.282
フォーカシングレンズ群ＬＢ２の移動量   物体側へ2.723mm
群焦点距離
前側レンズ群ＬＡ      前側負レンズ群ＬＡ１      前側正レンズ群ＬＡ２
30.755               -20.066                    16.897
後側レンズ群ＬＢ      後側正レンズ群ＬＢ１      フォーカシングレンズ群ＬＢ２
23.218                38.302                    70.871
【０１４７】
以上の実施例１〜９の収差図をそれぞれ図６〜図１４に示す。また各図中、”ＦＩＹ”は最大像高を示す。
【０１４８】
これらの収差図において、（ａ）、（ｂ）、（ｃ）、（ｄ）は、それぞれ、無限遠時における球面収差（ＳＡ）、非点収差（ＡＳ）、歪曲収差（ＤＴ）、倍率色収差（ＣＣ）を示す。
【０１４９】
また、（ｅ）、（ｇ）、（ｇ）、（ｈ）は、それぞれ、物像間距離２５０ｍｍ時における球面収差（ＳＡ）、非点収差（ＡＳ）、歪曲収差（ＤＴ）、倍率色収差（ＣＣ）を示す。
【０１５０】
次に、各実施例における条件式（１）〜（８）の値を掲げる。
実施例１     実施例２     実施例３     実施例４     実施例５
(1) Fno・Lair/fent     6.47         6.20         5.48         6.78         5.73
(2) |fRfo|/fent        4.74         4.02         3.51         2.77         4.96 
(3) fFN/fent          -2.08        -0.86        -1.53        -0.88        -1.49 
(4) fRfo/fent           -            -            -            -            -  
(5) fRfo/fent         -4.74        -4.02        -3.51        -2.77        -4.96
(6) fbair/fent         1.04         1.11         1.04         0.99         1.13 
(7) nLasp              1.806        1.743        1.911        1.743        1.835
(8) nLRfo              1.806        1.743        1.589        1.773        1.904
実施例６     実施例７     実施例８     実施例９
(1) Fno・Lair/fent     6.76         5.90         6.36         6.52
(2) |fRfo|/fent        4.99         3.60         2.38         4.51 
(3) fFN/fent          -1.71        -1.32        -1.10        -1.28 
(4) fRfo/fent           -           3.60         2.38         4.51 
(5) fRfo/fent         -4.99          -            -            -
(6) fbair/fent         1.09         0.91         0.94         0.90 
(7) nLasp              1.806        1.864        1.743        1.806
(8) nLRfo              1.733        1.694        1.694        1.806
【０１５１】
条件式（１）〜（８）の要素値を以下に示す。
実施例１     実施例２     実施例３     実施例４     実施例５
Fno       2.040        1.730        2.040        2.860        1.840
Lair     50.183       59.420       45.683       41.153       50.683
fRfo    -74.931      -66.609      -59.703      -48.052      -80.789
fFN     -32.978      -14.204      -25.942      -15.276      -24.332
fent     15.818       16.579       16.999       17.349       16.285
fbair    16.434       18.399       17.725       17.118       18.392
実施例６     実施例７     実施例８     実施例９
Fno       2.040        1.720        2.040        2.040
Lair     52.947       57.182       52.154       50.182
fRfo    -79.751       60.000       39.862       70.871
fFN     -27.384      -21.983      -18.354      -20.066
fent     15.984       16.660       16.735       15.698
fbair    17.436       15.235       15.666       14.197
【０１５２】
図１５は、電子撮像装置としての一眼ミラーレスカメラの断面図である。図１５において、１は一眼ミラーレスカメラ、２は鏡筒内に配置された撮影レンズ系、３は撮影レンズ系２を一眼ミラーレスカメラ１に着脱可能とする鏡筒のマウント部である。マウント部３としては、スクリュータイプのマウントやバヨネットタイプのマウント等が用いられる。この例では、バヨネットタイプのマウントを用いている。また、４は撮像素子面、５はバックモニタである。なお、撮像素子としては、小型のＣＣＤ又はＣＭＯＳ等が用いられている。
【０１５３】
そして、一眼ミラーレスカメラ１の撮影レンズ系２として、例えば上記実施例１〜９に示した本発明のリアフォーカスレンズ系が用いられる。
【０１５４】
図１６、図１７は、本発明に係る撮像装置の構成の概念図を示す。図１６は撮像装置としてのデジタルカメラ４０の外観を示す前方斜視図、図１７は同後方斜視図である。このデジタルカメラ４０の撮影光学系４１に、本発明のリアフォーカスレンズ系が用いられている。
【０１５５】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のリアフォーカスレンズ系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０１５６】
図１８は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１５７】
図１８に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１５８】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１５９】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１６０】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０１６１】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１６２】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１６３】
記億媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１６４】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１６５】
このように構成されたデジタルカメラ４０は、撮影光学系４１として本発明のリアフォーカスレンズ系を採用することで、広画角、小型でありながら、画質を劣化させずに高解像の画像を得るのに有利な撮像装置とすることが可能となる。
【産業上の利用可能性】
【０１６６】
以上のように、本発明に係るリアフォーカスレンズ系及び撮像装置は、フォーカシング動作時（更に好ましくはウォブリング動作時）の電気的負担や雑音の低減し、広い範囲を、画質を劣化させずに高解像の画像を得る場合に有用である。
［付記項１］
物体側から像側に順に、
正屈折力の前側レンズ群と、
明るさ絞りと、
正屈折力の後側レンズ群とからなり、
前記前側レンズ群は、物体側から順に、１つ又は複数の負屈折力のレンズ成分からなる前側負レンズ群と、前側正レンズ群とからなり、
前記後側レンズ群は、物体側から順に、後側正レンズ群と、負の屈折力をもつフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであることを特徴とするリアフォーカスレンズ系。
［付記項２］
物体側から像側に順に、
正屈折力の前側レンズ群と、
明るさ絞りと、
正屈折力の後側レンズ群とからなり、
前記前側レンズ群は、物体側から順に、１つ又は複数の負屈折力のレンズ成分からなる前側負レンズ群と、前側正レンズ群とからなり、
前記後側レンズ群は、物体側から順に、後側正レンズ群と、負の屈折力をもつフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記後側正レンズ群は正屈折力の非球面レンズを有し、
前記非球面レンズが、前記後側正レンズ群のなかで最も像側に位置するレンズであることを特徴とするリアフォーカスレンズ系。
［付記項３］
物体側から像側に順に、
正屈折力の前側レンズ群と、
明るさ絞りと、
正屈折力の後側レンズ群とからなり、
前記前側レンズ群は、物体側から順に、１つ又は複数の負屈折力のレンズ成分からなる前側負レンズ群と、前側正レンズ群とからなり、
前記後側レンズ群は、物体側から順に、後側正レンズ群と、負の屈折力をもつフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
以下の条件式（６−１）を満足することを特徴とするリアフォーカスレンズ系。
０．７５＜ｆｂair／ｆent≦１．０４      （６−１）
ただし、
ｆｂairは前記リアフォーカスレンズ系のバックフォーカス、
ｆentは前記リアフォーカスレンズ系の全系の焦点距離、
である。
［付記項４］
物体側から像側に順に、
正屈折力の前側レンズ群と、
明るさ絞りと、
正屈折力の後側レンズ群とからなり、
前記前側レンズ群は、物体側から順に、１つ又は複数の負屈折力のレンズ成分からなる前側負レンズ群と、前側正レンズ群とからなり、
前記後側レンズ群は、物体側から順に、後側正レンズ群と、負の屈折力をもつフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記後側正レンズ群は正屈折力の非球面レンズを有し、
以下の条件式（７−１）を満足することを特徴とするリアフォーカスレンズ系。
１．７４≦ｎＬasp＜１．９５      （７−１）
ただし、
ｎＬaspは、前記非球面レンズのｄ−ｌｉｎｅにおける屈折率、
である。
［付記項５］
物体側から像側に順に、
正屈折力の前側レンズ群と、
明るさ絞りと、
正屈折力の後側レンズ群とからなり、
前記前側レンズ群は、物体側から順に、１つ又は複数の負屈折力のレンズ成分からなる前側負レンズ群と、前側正レンズ群とからなり、
前記後側レンズ群は、物体側から順に、後側正レンズ群と、負の屈折力をもつフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群が以下の条件式（８−１）を満足することを特徴とするリアフォーカスレンズ系。
１．７７３≦ｎＬRfo＜１．９５      （８−１）
ただし、
ｎＬRfoは、前記フォーカシングレンズ群中の全レンズのｄ−ｌｉｎｅにおける屈折率の平均値、
である。
［付記項６］
以下の条件式（５）を満足する付記項１から５の何れか一項に記載のリアフォーカスレンズ系。
−６．０＜ｆRfo／ｆent＜−１．０      （５）
ただし、
ｆRfoは前記フォーカシングレンズ群の焦点距離、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
［付記項７］
前記前側正レンズ群における前記レンズ成分は、正屈折力のレンズ成分からなることを特徴とする付記項１から６のいずれか一項に記載のリアフォーカスレンズ系。
［付記項８］
前記正屈折力のレンズ成分は、１つの正屈折力の単レンズからなることを特徴とする付記項７に記載のリアフォーカスレンズ系。
［付記項９］
前記前側正レンズ群はレンズ成分を有し、該レンズ成分は最も物体側に配置され且つ正レンズを有することを特徴とする付記項１から８のいずれか一項に記載のリアフォーカスレンズ系。
［付記項１０］
前記前側正レンズ群における前記レンズ成分は、正屈折力のレンズ成分からなることを特徴とする付記項９に記載のリアフォーカスレンズ系。
［付記項１１］
前記正屈折力のレンズ成分は、１つの正屈折力の単レンズからなることを特徴とする付記項１０に記載のリアフォーカスレンズ系。
［付記項１２］
以下の条件式（６）を満足することを特徴とする付記項１から１１のいずれか一項に記載のリアフォーカスレンズ系。
０．７５＜ｆｂair／ｆent＜１．３      （６）
ただし、
ｆｂairは前記リアフォーカスレンズ系のバックフォーカス、
ｆentは前記リアフォーカスレンズ系の全系の焦点距離、
である。
［付記項１３］
前記後側正レンズ群は正屈折力の非球面レンズを有し、
以下の条件式（７）を満足することを特徴とする付記項１から１２のいずれか一項に記載のリアフォーカスレンズ系。
１．６５＜ｎＬasp＜１．９５      （７）
ただし、
ｎＬaspは、前記非球面レンズのｄ−ｌｉｎｅにおける屈折率、
である。
［付記項１４］
前記非球面レンズが、前記後側正レンズ群のなかで最も像側に位置するレンズであることを特徴とする付記項１３に記載のリアフォーカスレンズ系。
［付記項１５］
前記後側正レンズ群は、物体側から順に、負レンズ、正レンズ、正レンズからなることを特徴とする付記項１から１４のいずれか一項に記載のリアフォーカスレンズ系。
［付記項１６］
前記後側正レンズ群は、物体側から順に、物体側面が物体側に凹面を向けた負レンズ、像側面が像側に凸面を向けた正レンズ、像側面が像側に凸面を向けた正レンズからなることを特徴とする付記項１５に記載のリアフォーカスレンズ系。
［付記項１７］
前記フォーカシングレンズ群が以下の条件式（８）を満足することを特徴とする付記項１から１６のいずれか一項に記載のリアフォーカスレンズ系。
１．６５＜ｎＬRfo＜１．９５      （８）
ただし、
ｎＬRfoは、前記フォーカシングレンズ群中の全レンズのｄ−ｌｉｎｅにおける屈折率の平均値、
である。
［付記項１８］
前記フォーカシングレンズ群が単レンズであることを特徴とする付記項１から１７のいずれか一項に記載のリアフォーカスレンズ系。
［付記項１９］
撮像レンズ系と、前記撮像レンズ系の像側に配置され前記撮像レンズ系により形成された像を電気信号に変換する撮像素子とを有し、
前記撮像レンズ系が付記項１から１８のいずれか一項に記載のリアフォーカスレンズ系であることを特徴とする撮像装置。
[付記項１−１］
物体側から像側に順に、
正屈折力の前側レンズ群と、
明るさ絞りと、
正屈折力の後側レンズ群と、からなり、
前記前側レンズ群は、物体側から順に、１つ又は複数の負屈折力のレンズ成分からなる前側負レンズ群と、前側正レンズ群とからなり、
前記前側正レンズ群はレンズ成分を有し、該レンズ成分は最も物体側に配置され、且つ正レンズを有し、
前記後側レンズ群は、物体側から順に、後側正レンズ群と、フォーカシングレンズ群とからなり、
遠距離物体から近距離物体への合焦の際に、前記フォーカシングレンズ群は、前記後側正レンズ群との距離を変化させるように移動し、
前記フォーカシングレンズ群は１つのレンズ成分からなり、
以下の条件式（１）、（２）、（３）を満足することを特徴とするリアフォーカスレンズ系。
４．０＜Ｆno×Ｌair／ｆent＜８．０      （１）
１．０＜｜ｆRfo｜／ｆent＜６．０      （２）
−２．６＜ｆFN／ｆent＜−０．２      （３）
ただし、
Ｆnoは前記リアフォーカスレンズ系の最小Ｆナンバー、
Ｌairは前記リアフォーカスレンズ系の最も物体側のレンズ面から像面までの光軸上での距離、
ｆRfoは前記フォーカシングレンズ群の焦点距離、
ｆFNは前記前側負レンズ群の焦点距離、
ｆentは前記リアフォーカスレンズ系の全系の焦点距離であって、
上記最小Ｆナンバーと全系の焦点距離は、それぞれ、無限遠物体合焦時のＦナンバーと焦点距離、
前記レンズ成分は、光軸上にて空気と接する屈折面が物体側面と像側面の２つのみのレンズ体、
である。
[付記項２−１］
物体側から像側に順に、
正屈折力の前側レンズ群と、
明るさ絞りと、
正屈折力の後側レンズ群と、からなり、
前記前側レンズ群は、物体側から順に、１つの負屈折力のレンズ成分からなる前側負レンズ群と、前側正レンズ群とからなり、
前記前側正レンズ群はレンズ成分を有し、該レンズ成分は最も物体側に配置され、且つ正レンズを有し、
前記後側レンズ群は、物体側から順に、後側正レンズ群と、正屈折力のフォーカシングレンズ群とからなり、
遠距離物体から近距離物体への合焦の際に、前記フォーカシングレンズ群は、前記後側正レンズ群との距離を縮めるように移動し、
前記フォーカシングレンズ群は１つのレンズ成分からなり、
以下の条件式（１）、（４）を満足することを特徴とするリアフォーカスレンズ系。
４．０＜Ｆno×Ｌair／ｆent＜８．０      （１）
１．０＜ｆRfo／ｆent＜６．０      （４）
ただし、
Ｆnoは前記リアフォーカスレンズ系の最小Ｆナンバー、
Ｌairは前記リアフォーカスレンズ系の最も物体側のレンズ面から像面までの光軸上での距離、
ｆRfoは前記フォーカシングレンズ群の焦点距離、
ｆentは前記リアフォーカスレンズ系の全系の焦点距離であって、
上記最小Ｆナンバーと全系の焦点距離は、それぞれ、無限遠物体合焦時のＦナンバーと焦点距離、
前記レンズ成分は、光軸上にて空気と接する屈折面が物体側面と像側面の２つのみのレンズ体、
である。
[付記項３−１］
前記前側負レンズ群は、前記負屈折力のレンズ成分を多くとも２つ有することを特徴とする付記項１−１に記載のリアフォーカスレンズ系。
[付記項４−１］
前記負屈折力のレンズ成分は、２つであることを特徴とする付記項３−１に記載のリアフォーカスレンズ系。
[付記項５−１］
前記負屈折力のレンズ成分の各々は、負屈折力の単レンズからなることを特徴とする付記項４−１に記載のリアフォーカスレンズ系。
[付記項６−１］
前記負屈折力のレンズ成分は、１つであることを特徴とする付記項３−１に記載のリアフォーカスレンズ系。
[付記項７−１］
前記負屈折力のレンズ成分は、単レンズからなることを特徴とする付記項２−１または６−１に記載のリアフォーカスレンズ系。
[付記項８−１］
前記前側正レンズ群における前記レンズ成分は、正屈折力のレンズ成分からなることを特徴とする付記項１−１から７−１のいずれか一項に記載のリアフォーカスレンズ系。
[付記項９−１］
前記正屈折力のレンズ成分は、１つの正屈折力の単レンズからなることを特徴とする付記項８−１に記載のリアフォーカスレンズ系。
[付記項１０−１］
物体側から像側に順に、
正屈折力の前側レンズ群と、
明るさ絞りと、
正屈折力の後側レンズ群とからなり、
前記前側レンズ群は、物体側から順に、１つ又は複数の負屈折力のレンズ成分からなる前側負レンズ群と、前側正レンズ群とからなり、
前記後側レンズ群は、物体側から順に、後側正レンズ群と、負の屈折力をもつフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
以下の条件式（５）を満足することを特徴とするリアフォーカスレンズ系。
−６．０＜ｆRfo／ｆent＜−１．０      （５）
ただし、
ｆRfoは前記フォーカシングレンズ群の焦点距離、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
[付記項１１−１］
前記前側負レンズ群は、前記負屈折力のレンズ成分を多くとも２つ有することを特徴とする付記項１０−１に記載のリアフォーカスレンズ系。
[付記項１２−１］
前記負屈折力のレンズ成分は、２つであることを特徴とする付記項１１−１に記載のリアフォーカスレンズ系。
[付記項１３−１］
前記負屈折力のレンズ成分の各々は、負屈折力の単レンズからなることを特徴とする付記項１２−１に記載のリアフォーカスレンズ系。
[付記項１４−１］
前記負屈折力のレンズ成分は、１つであることを特徴とする付記項１１−１に記載のリアフォーカスレンズ系。
[付記項１５−１］
前記負屈折力のレンズ成分は、単レンズからなることを特徴とする付記項１４−１に記載のリアフォーカスレンズ系。
[付記項１６−１］
前記前側正レンズ群はレンズ成分を有し、該レンズ成分は最も物体側に配置され且つ正レンズを有することを特徴とする付記項１０−１から１５−１のいずれか一項に記載のリアフォーカスレンズ系。
[付記項１７−１］
前記前側正レンズ群における前記レンズ成分は、正屈折力のレンズ成分からなることを特徴とする付記項１６−１に記載のリアフォーカスレンズ系。
[付記項１８−１］
前記正屈折力のレンズ成分は、１つの正屈折力の単レンズからなることを特徴とする付記項１７−１に記載のリアフォーカスレンズ系。
[付記項１９−１］
前記前側正レンズ群における前記レンズ成分は、正レンズと負レンズを含む接合レンズ成分からなることを特徴とする付記項１６−１に記載のリアフォーカスレンズ系。
[付記項２０−１］
以下の条件式（６）を満足することを特徴とする付記項１−１から１９−１のいずれか一項に記載のリアフォーカスレンズ系。
０．７５＜ｆｂair／ｆent＜１．３      （６）
ただし、
ｆｂairは前記リアフォーカスレンズ系のバックフォーカス、
ｆentは前記リアフォーカスレンズ系の全系の焦点距離、
である。
[付記項２１−１］
前記後側正レンズ群は正屈折力の非球面レンズを有し、
以下の条件式（７）を満足することを特徴とする付記項１−１から２０−１のいずれか一項に記載のリアフォーカスレンズ系。
１．６５＜ｎＬasp＜１．９５      （７）
ただし、
ｎＬaspは、前記非球面レンズのｄ−ｌｉｎｅにおける屈折率、
である。
[付記項２２−１］
前記非球面レンズが、前記後側正レンズ群のなかで最も像側に位置するレンズであることを特徴とする付記項２１−１に記載のリアフォーカスレンズ系。
[付記項２３−１］
前記後側正レンズ群は、物体側から順に、負レンズ、正レンズ、正レンズからなることを特徴とする付記項１−１から２２−１のいずれか一項に記載のリアフォーカスレンズ系。
[付記項２４−１］
前記後側正レンズ群は、物体側から順に、物体側面が物体側に凹面を向けた負レンズ、像側面が像側に凸面を向けた正レンズ、像側面が像側に凸面を向けた正レンズからなることを特徴とする付記項２３−１に記載のリアフォーカスレンズ系。
[付記項２５−１］
前記フォーカシングレンズ群が非球面レンズを有することを特徴とする付記項１−１から２４−１のいずれか一項に記載のリアフォーカスレンズ系。
[付記項２６−１］
前記フォーカシングレンズ群が以下の条件式（８）を満足することを特徴とする付記項１−１から２２−１のいずれか一項に記載のリアフォーカスレンズ系。
１．６５＜ｎＬRfo＜１．９５      （８）
ただし、
ｎＬRfoは、前記フォーカシングレンズ群中の全レンズのｄ−ｌｉｎｅにおける屈折率の平均値、
である。
[付記項２７−１］
前記フォーカシングレンズ群が単レンズであることを特徴とする付記項１−１から２６−１のいずれか一項に記載のリアフォーカスレンズ系。
[付記項２８−１］
撮像レンズ系と、前記撮像レンズ系の像側に配置され前記撮像レンズ系により形成された像を電気信号に変換する撮像素子とを有し、
前記撮像レンズ系が付記項１−１から２７−１のいずれか一項に記載のリアフォーカスレンズ系であることを特徴とする撮像装置。
［付記項１−２］
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
以下の条件式（６−１）を満足することを特徴とするリアフォーカスレンズ系。
０．７５＜ｆｂair／ｆent≦１．０４      （６−１）
ただし、
ｆｂairは前記リアフォーカスレンズ系のバックフォーカス、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
［付記項２−２］
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
前記前側正レンズ群は、正屈折力のレンズ成分からなり、
前記レンズ成分は、光軸上にて空気と接する屈折面が物体側面と像側面の２つのみのレンズ体であることを特徴とするリアフォーカスレンズ系。
［付記項３−２］
前記正屈折力のレンズ成分は、１つの正屈折力の単レンズからなることを特徴とする付記項２−２に記載のリアフォーカスレンズ系。
［付記項４−２］
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
以下の条件式（６）を満足することを特徴とするリアフォーカスレンズ系。
０．７５＜ｆｂair／ｆent＜１．３      （６）
ただし、
ｆｂairは前記リアフォーカスレンズ系のバックフォーカス、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
［付記項５−２］
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
前記後側正レンズ群は、物体側から順に、負レンズ、正レンズ、正レンズからなり、
前記レンズ成分は、光軸上にて空気と接する屈折面が物体側面と像側面の２つのみのレンズ体であることを特徴とするリアフォーカスレンズ系。
［付記項６−２］
前記後側正レンズ群は、物体側から順に、物体側面が物体側に凹面を向けた負レンズ、像側面が像側に凸面を向けた正レンズ、像側面が像側に凸面を向けた正レンズからなることを特徴とする付記項５−２に記載のリアフォーカスレンズ系。
［付記項７−２］
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
以下の条件式（５）を満足することを特徴とするリアフォーカスレンズ系。
−６．０＜ｆRfo／ｆent＜−１．０      （５）
ただし、
ｆRfoは前記フォーカシングレンズ群の焦点距離、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
［付記項８−２］
前記前側正レンズ群は、正屈折力のレンズ成分からなることを特徴とする付記項１−２に記載のリアフォーカスレンズ系。
［付記項９−２］
前記正屈折力のレンズ成分は、１つの正屈折力の単レンズからなることを特徴とする付記項８−２に記載のリアフォーカスレンズ系。
［付記項１０−２］
以下の条件式（６）を満足することを特徴とする付記項１−２から３−２、５−２から９−２のいずれか一項に記載のリアフォーカスレンズ系。
０．７５＜ｆｂair／ｆent＜１．３      （６）
ただし、
ｆｂairは前記リアフォーカスレンズ系のバックフォーカス、
ｆentは前記リアフォーカスレンズ系の全系の焦点距離であって、無限遠物体合焦時の焦点距離、
である。
［付記項１１−２］
前記後側正レンズ群は、物体側から順に、負レンズ、正レンズ、正レンズからなることを特徴とする付記項１−２から４−２、７−２から９−２のいずれか一項に記載のリアフォーカスレンズ系。
［付記項１２−２］
前記後側正レンズ群は、物体側から順に、物体側面が物体側に凹面を向けた負レンズ、像側面が像側に凸面を向けた正レンズ、像側面が像側に凸面を向けた正レンズからなることを特徴とする付記項５−２又は１１−２に記載のリアフォーカスレンズ系。
［付記項１３−２］
以下の条件式（５）を満足することを特徴とする付記項１−２から６−２、８−２、９−２のいずれか一項に記載のリアフォーカスレンズ系。
−６．０＜ｆRfo／ｆent＜−１．０      （５）
ただし、
ｆRfoは前記フォーカシングレンズ群の焦点距離、
ｆentは前記リアフォーカスレンズ系の全系の焦点距離であって、無限遠物体合焦時の焦点距離、
前記レンズ成分は、光軸上にて空気と接する屈折面が物体側面と像側面の２つのみのレンズ体、
である。
［付記項１４−２］
前記前側正レンズ群はレンズ成分を有し、該レンズ成分は最も物体側に配置され且つ正レンズを有することを特徴とする付記項１−２から１３−２のいずれか一項に記載のリアフォーカスレンズ系。
［付記項１５−２］
前記後側正レンズ群は正屈折力の非球面レンズを有し、
以下の条件式（７）を満足することを特徴とする付記項１−２から１４−２のいずれか一項に記載のリアフォーカスレンズ系。
１．６５＜ｎＬasp＜１．９５      （７）
ただし、
ｎＬaspは、前記非球面レンズのｄ−ｌｉｎｅにおける屈折率、
である。
［付記項１６−２］
以下の条件式（７−１）を満足することを特徴とする１５−２に記載のリアフォーカスレンズ系。
１．７４３≦ｎＬasp＜１．９５      （７−１）
ただし、
ｎＬaspは、前記非球面レンズのｄ−ｌｉｎｅにおける屈折率、
である。
［付記項１７−２］
前記非球面レンズが、前記後側正レンズ群のなかで最も像側に位置するレンズであることを特徴とする付記項１５−２又は１６−２に記載のリアフォーカスレンズ系。
［付記項１８−２］
前記フォーカシングレンズ群が以下の条件式（８）を満足することを特徴とする付記項１−２から１７−２のいずれか一項に記載のリアフォーカスレンズ系。
１．６５＜ｎＬRfo＜１．９５      （８）
ただし、
ｎＬRfoは、前記フォーカシングレンズ群中の全レンズのｄ−ｌｉｎｅにおける屈折率の平均値、
である。
［付記項１９−２］
前記フォーカシングレンズ群が以下の条件式（８−１）を満足することを特徴とする付記項１８−２に記載のリアフォーカスレンズ系。
１．７７３≦ｎＬRfo＜１．９５      （８−１）
ただし、
ｎＬRfoは、前記フォーカシングレンズ群中の全レンズのｄ−ｌｉｎｅにおける屈折率の平均値、
である。
［付記項２０−２］
前記フォーカシングレンズ群が単レンズであることを特徴とする付記項１−２から１９−２のいずれか一項に記載のリアフォーカスレンズ系。
［付記項２１−２］
以下の条件式（１）を満足することを特徴とする付記項１−２から２０−２のいずれか一項に記載のリアフォーカスレンズ系。
４．０＜Ｆno×Ｌair／ｆent＜８．０      （１）
ただし、
Ｆnoは前記リアフォーカスレンズ系の最小Ｆナンバー、
Ｌairは前記リアフォーカスレンズ系の最も物体側のレンズ面から像面までの光軸上での距離あって、最も像側のレンズ面から像面までの光軸上での距離のみを空気換算したもの、
ｆentは前記リアフォーカスレンズ系の全系の焦点距離であって、
上記最小Ｆナンバーと全系の焦点距離は、それぞれ、無限遠物体合焦時のＦナンバーと焦点距離、
である。
［付記項２２−２］
以下の条件式（１−１）を満足することを特徴とする付記項２１−２に記載のリアフォーカスレンズ系。
５．４＜Ｆno×Ｌair／ｆent＜８．０      （１−１）
ただし、
Ｆnoは前記リアフォーカスレンズ系の最小Ｆナンバー、
Ｌairは前記リアフォーカスレンズ系の最も物体側のレンズ面から像面までの光軸上での距離あって、最も像側のレンズ面から像面までの光軸上での距離のみを空気換算したもの、
ｆentは前記リアフォーカスレンズ系の全系の焦点距離であって、
上記最小Ｆナンバーと全系の焦点距離は、それぞれ、無限遠物体合焦時のＦナンバーと焦点距離、
である。
［付記項２３−２］
以下の条件式（２）を満足することを特徴とする付記項１−２から２２−２のいずれか一項に記載のリアフォーカスレンズ系。
１．０＜｜ｆRfo｜／ｆent＜６．０      （２）
ただし、
ｆRfoは前記フォーカシングレンズ群の焦点距離、
ｆentは前記リアフォーカスレンズ系の全系の焦点距離であって、無限遠物体合焦時の焦点距離、
である。
［付記項２４−２］
撮像レンズ系と、前記撮像レンズ系の像側に配置され前記撮像レンズ系により形成された像を電気信号に変換する撮像素子とを有し、
前記撮像レンズ系が付記項１−２から２３−２のいずれか一項に記載のリアフォーカスレンズ系であることを特徴とする撮像装置。
［付記項１−３］
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
以下の条件式（２）を満足することを特徴とするリアフォーカスレンズ系。
１．０＜｜ｆRfo｜／ｆent＜６．０      （２）
ただし、
ｆRfoは前記フォーカシングレンズ群の焦点距離、
ｆentは前記リアフォーカスレンズ系の全系の焦点距離であって、無限遠物体合焦時の焦点距離、
である。
［付記項２−３］
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
前記後側正レンズ群は正屈折力の非球面レンズを有し、
以下の条件式（７−１）を満足することを特徴とするリアフォーカスレンズ系。
１．７４３≦ｎＬasp＜１．９５      （７−１）
ただし、
ｎＬaspは、前記非球面レンズのｄ−ｌｉｎｅにおける屈折率、
である。
［付記項３−３］
物体側から像側に順に、
正屈折力の前側レンズ群と、
明るさ絞りと、
正屈折力の後側レンズ群と、からなり、
前記前側レンズ群は、物体側から順に、１つ又は２つの負屈折力のレンズ成分からなる前側負レンズ群と、前側正レンズ群とからなり、
前記後側レンズ群は、物体側から順に、後側正レンズ群と、負の屈折力を持つフォーカシングレンズ群とからなり、
遠距離物体から近距離物体への合焦の際に、前記フォーカシングレンズ群は、前記後側正レンズ群との距離を広げるように移動し、
前記フォーカシングレンズ群は１つのレンズ成分からなり、
前記フォーカシングレンズ群は、物体側に凸面を向けた負メニスカスレンズ、又は、両凹負レンズであり、
前記フォーカシングレンズ群が以下の条件式（８−１）を満足することを特徴とするリアフォーカスレンズ系。
１．７７３≦ｎＬRfo＜１．９５      （８−１）
ただし、
ｎＬRfoは、前記フォーカシングレンズ群中の全レンズのｄ−ｌｉｎｅにおける屈折率の平均値、
である。
【符号の説明】
【０１６７】
ＬＡ…  前側レンズ群
ＬＡ１…前側負レンズ群
ＬＡ２…前側正レンズ群
ＬＢ…  後側レンズ群
ＬＢ１…後側正レンズ群
ＬＢ２…フォーカシングレンズ群
Ｓ…開口絞り
Ｃ…平行平板
Ｉ…像面
１…一眼ミラーレスカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
0006034917.tif 000002
【図２】
0006034917.tif 000003
【図３】
0006034917.tif 000004
【図４】
0006034917.tif 000005
【図５】
0006034917.tif 000006
【図６】
0006034917.tif 000007
【図７】
0006034917.tif 000008
【図８】
0006034917.tif 000009
【図９】
0006034917.tif 000010
【図１０】
0006034917.tif 000011
【図１１】
0006034917.tif 000012
【図１２】
0006034917.tif 000013
【図１３】
0006034917.tif 000014
【図１４】
0006034917.tif 000015
【図１５】
0006034917.tif 000016
【図１６】
0006034917.tif 000017
【図１７】
0006034917.tif 000018
【図１８】
0006034917.tif 000019